(57)【要約】【課題】両ハウジングを嵌合させる際の操作力の軽減を図る。【解決手段】ケーシング５０の両側面にはレバー７０が装着され、さらにレバー７０を挟み込むようにしてスライド部材８０が進退可能に装着される。スライド部材８０をケーシング５０側へ押し込むことにより、レバー７０の操作カム部７４とスライド部材８０の操作カム受け部８２との係合位置を力点、レバー７０のカム部３７と雄ハウジング３０のカム受け部７１との係合位置を作用点とするてこを構成してレバー７０を回動させる。レバー７０の回動動作に伴ってカム部３７がカム受け部７１に沿って相対的に移動し、雄ハウジング３０をケーシング５０に対して相対変位させるとともに、雄ハウジング３０と係合状態にある雌ハウジング１０をガイド溝５５に沿って移動させて、両ハウジング１０，３０を正規嵌合位置に誘導する。【選択図】図１
2006313730.tif 000002
【特許請求の範囲】
【請求項１】
ケーシング内に収容された状態で互いに嵌合される第１及び第２のコネクタハウジングと、
前記ケーシングに対して前記両コネクタハウジングの嵌合方向と略直交する方向に進退可能に組み付けられるスライド部材と、
前記スライド部材と前記ケーシングのいずれか一方に回動可能に装着され、その回動中心から離れた位置に、他方に設けられた操作カム受け部に係合する操作カム部が形成されるとともに、この操作カム部よりも前記回動中心側に近い位置に、前記第１のコネクタハウジングに設けられたカム部に係合されるカム受け部の形成されたレバーとを備え、
前記スライド部材を前記ケーシング側へ押し込むことにより、前記操作カム部と前記操作カム受け部との係合位置を力点、前記カム部と前記カム受け部との係合位置を作用点とするてこを構成して前記レバーを回動させ、このレバーの回動動作に伴って前記カム部が前記カム受け部に沿って相対的に移動することで、前記第１のコネクタハウジングを前記ケーシングに対して相対変位させるとともに、この第１のコネクタハウジングと係合状態にある前記第２のコネクタハウジングを、前記ケーシングとの間に形成されたカム機構を利用して前記第１のコネクタハウジング側へ引き寄せる構成としたことを特徴とするコネクタ装置。
【請求項２】
前記ケーシングには前記第１のコネクタハウジングを受け入れるための第１の開口部が形成され、この第１の開口部の内側縁には前記第１のコネクタハウジングを誘い込むための誘い込み面が形成されていることを特徴とする請求項１に記載のコネクタ装置。
【請求項３】
前記ケーシングには前記第２のコネクタハウジングを受け入れるための第２の開口部が形成され、この第２の開口部と対向する位置には、前記第２の開口部を通して前記ケーシング内に進入する前記第２のコネクタハウジングの装着方向の前面を覆うようにして保護壁が形成されていることを特徴とする請求項１または請求項２に記載のコネクタ装置。
【請求項４】
前記第１のコネクタハウジングと前記ケーシングのいずれか一方にはガイド部が突出して形成され、他方には前記嵌合方向と略直交する方向に延出するガイド溝が形成されており、前記ガイド部が前記ガイド溝に沿って相対的に移動することで、前記第１のコネクタハウジングを前記ケーシングに対して前記嵌合方向と略直交する方向に相対変位させ、その状態で、前記両コネクタハウジングを嵌合させるようになっていることを特徴とする請求項１ないし請求項３のいずれかに記載のコネクタ装置。
【請求項５】
前記ガイド溝が前記ケーシング側に形成されており、前記レバーには前記ケーシングに対してこのレバーを回動初期位置に留め置くための弾性係止部が形成されており、
前記弾性係止部は、常には前記ガイド溝の溝壁に弾性的に係止されており、前記第１のコネクタハウジングが前記ケーシング内に装着されるのに伴って前記ガイド部と干渉してその係止状態を解除することにより、前記レバーの回動動作を許容するようになっていることを特徴とする請求項４に記載のコネクタ装置。
【請求項６】
前記第１のコネクタハウジングには、前記ケーシングに対する装着方向の先端面に、検知部が突出して形成されており、前記スライド部材の操作面には、前記両コネクタハウジングが正規嵌合されたときに、前記検知部を突入させる検知窓が形成されていることを特徴とする請求項１ないし請求項５のいずれかに記載のコネクタ装置。
【請求項７】
前記検知部の突出端は、前記両コネクタハウジングが正規嵌合されたときに、前記検知窓の開口と略面一で揃えられるか、あるいはその開口から突き出た位置に配されていることを特徴とする請求項６に記載のコネクタ装置。
【請求項８】
前記スライド部材の操作面には、前記検知窓の開口から突き出る前記検知部の突出端と隣接して保護リブが立ち上げ形成されていることを特徴とする請求項７に記載のコネクタ装置。
【請求項９】
前記スライド部材と前記ケーシングのいずれか一方には撓み変形可能なケースロック部が突出して形成され、他方にはケースロック受け部が形成されており、前記両コネクタハウジングが正規嵌合されたときには、前記ケースロック部が前記ケースロック受け部に弾性的に係止するようになっていることを特徴とする請求項１ないし請求項８のいずれかに記載のコネクタ装置。
【請求項１０】
前記スライド部材を押し込み操作する過程では、前記ケースロック部が前記ケースロック受け部との係合位置に至る手前に配された突き当て面に突き当たってその押し込み操作が規制され、さらにこの突き当たりに起因する抵抗を上回る操作力を前記スライド部材に付与することにより、前記ケースロック部が前記突き当て面から解離するとともにその慣性力によって前記スライド部材が一気に押し込まれるようになっていることを特徴とする請求項９に記載のコネクタ装置。
【請求項１１】
前記カム機構は、前記ケーシングと前記第２のコネクタハウジングのいずれか一方に設けられたガイドカム溝と、他方に突出して設けられたガイドカム部とからなり、前記ガイドカム溝の内部には、前記両コネクタハウジングの嵌合前に前記ガイドカム部と干渉することで前記第２のコネクタハウジングが前記第１のコネクタハウジング側へ移動するのを規制する仮保持部が形成されていることを特徴とする請求項１ないし請求項１０のいずれかに記載のコネクタ装置。
【請求項１２】
前記カム機構は、前記ケーシングと前記第２のコネクタハウジングのいずれか一方に設けられたガイドカム溝と、他方に突出して設けられたガイドカム部とからなり、前記ガイドカム部は、前記ガイドカム溝の両側面に対してそのガイドカム溝の延出する方向に沿って長く当たり合う回転防止面を有していることを特徴とする請求項１ないし請求項１１のいずれかに記載のコネクタ装置。
【請求項１３】
前記ガイドカム溝は、複数の前記ガイドカム部と対応するように、前記第２のコネクタハウジングの移動方向に沿って互いに略平行して複数設けられていることを特徴とする請求項１１または請求項１２に記載のコネクタ装置。
【請求項１４】
前記第２のコネクタハウジングを前記ケーシングに装着する過程では、前記ガイドカム部が、前記ガイドカム溝の溝縁部を弾性的に乗り越えたあと前記ガイドカム溝に嵌合するようになっており、かつ、前記複数のガイドカム部のうち、前記ケーシングに対する前記第２のコネクタハウジングの装着方向の前側に位置するガイドカム部が、後側に位置するガイドカム部よりも、その突出高さが低くなるように設定されていることを特徴とする請求項１３に記載のコネクタ装置。
【請求項１５】
前記第１のコネクタハウジングは前記嵌合方向と略直交する方向に移動して前記第２のコネクタハウジングに係合するようになっており、前記第１のコネクタハウジングには、前記第２のコネクタハウジングの受け入れ側を開放させた枠状の案内壁が形成されており、前記第２のコネクタハウジングが前記案内壁の内側に嵌入されるようになっていることを特徴とする請求項１ないし請求項１４のいずれかに記載のコネクタ装置。
【請求項１６】
前記第１のコネクタハウジングは、雄端子を収容した雄側のコネクタハウジングであって、前記雄端子のタブを突出した状態で配するフード部を備えており、前記フード部内にはムービングプレートが組み付けられ、前記ムービングプレートは、前記タブを位置決めした状態で挿通する挿通孔を有し、前記両コネクタハウジングの嵌合時には前記タブを前記挿通孔から突出させつつ後退するようになっており、かつ、前記案内壁が、前記ムービングプレートに形成されていることを特徴とする請求項１５に記載のコネクタ装置。
【請求項１７】
前記レバーは前記ケーシングの幅方向両側に一対配置されており、
前記スライド部材は、操作部とその両側端から突出する一対のスライド装着部とで門型状をなし、前記両スライド装着部と前記ケーシングとの間に前記レバーを挟んだ状態で前記ケーシングに対して跨るように装着されていることを特徴とする請求項１ないし請求項１６のいずれかに記載のコネクタ装置。
【請求項１８】
前記スライド部材は、前記レバーを介して前記ケーシングに対して一体的に連結されていることを特徴とする請求項１７に記載のコネクタ装置。
【請求項１９】
前記第２のコネクタハウジングは、前記ケーシングに対して初期位置と終端位置との間を移動可能に組み付けられ、前記終端位置にて前記第１のコネクタハウジングと正規嵌合可能とされており、
前記第１のコネクタハウジングは、前記ケーシングに対して前記第２のコネクタハウジングの前記移動方向と交差する方向に相対変位可能とされ、その変位過程で前記第２のコネクタハウジングと係合状態となるものであり、さらに、
前記第１のコネクタハウジングには当て部が設けられ、前記第２のコネクタハウジングには、この第２のコネクタハウジングが前記終端位置から前記初期位置へ戻る移動方向で前記当て部と対向する当て受け部が設けられており、
前記両コネクタハウジングの離脱時に、前記第１のコネクタハウジングの変位動作に伴い前記当て受け部が前記当て部によって持ち上げられることにより、前記第２のコネクタハウジングが前記初期位置へ強制的に戻されることを特徴とする請求項１ないし請求項１８のいずれかに記載のコネクタ装置。
【請求項２０】
前記第１のコネクタハウジングは筒状のフード部を備えており、前記当て部は、前記フード部の開口縁に形成され、前記当て受け部は、前記両コネクタハウジングが係合状態にあるときに、前記フード部内に進入可能なように前記第１のコネクタハウジング側へ突出して形成されていることを特徴とする請求項１９に記載のコネクタ装置。
【請求項２１】
前記ケーシングには、前記第２のコネクタハウジングの前記初期位置へ戻る移動方向の前面に当接可能とされたストッパ壁が形成されており、このストッパ壁は、バネ性を有し、前記当て受け部が前記当て部によってオーバーストローク気味に持ち上げられたときに撓み変形しつつ前記第２のコネクタハウジングを受け止めるようになっていることを特徴とする請求項１９または請求項２０に記載のコネクタ装置。
【請求項２２】
前記第１のコネクタハウジングは、雄端子を収容した雄側のコネクタハウジングであって、前記雄端子のタブを突出した状態で配するフード部を備えており、前記フード部内にはムービングプレートが組み付けられ、前記ムービングプレートは、前記タブを位置決めした状態で挿通する挿通孔を有し、前記両コネクタハウジングの嵌合時には前記第２のコネクタハウジングに押されて前記タブを前記挿通孔から突出させつつ後退するようになっており、さらに、
前記フード部には、前記ムービングプレートに設けられたプレート係止受け部に係止することで前記ムービングプレートの後退移動を規制するプレート係止部が形成されており、このプレート係止部と前記プレート係止受け部とによる係止構造が、少なくとも前記ムービングプレートの中心を挟んだ対角位置に、対をなして設けられていることを特徴とする請求項１ないし請求項２１のいずれかに記載のコネクタ装置。
【請求項２３】
前記レバーには、このレバーの回動接線方向に延出して板厚方向に撓み変形可能とされた弾性係止部が形成されており、この弾性係止部の自由端側には、前記ケーシングに設けられたレバー受け部に対し前記レバーの回動方向で当たり合うことで前記レバーを回動初期位置に留め置く回動規制面が備えられていることを特徴とする請求項１ないし請求項２２のいずれかに記載のコネクタ装置。
【発明の詳細な説明】
【技術分野】
【０００１】
本発明は、コネクタ装置に関する。
【背景技術】
【０００２】
従来、例えば、特許文献１に記載のコネクタ装置は、一方のコネクタハウジングがケーシング内に収容されており、このケーシング内に上方から他方のコネクタハウジングが進入することにより、両コネクタハウジングが係合するとともに、一方のコネクタハウジングがケーシングとの間に形成されたカム機構に基づいて側方へ移動して他方のコネクタハウジング側へ引き寄せられ、そののち他方のコネクタハウジングがケーシング内に完全収容されると、両コネクタハウジングが正規嵌合されるようになっている。したがって、両コネクタハウジングが接近する方向と、実際の両コネクタハウジングの嵌合方向とが略直交する関係となるため、一方のコネクタハウジングが作業者の手指の届き難い奥まった位置に配されているという事情があっても、作業者は、他方のコネクタハウジングを奥側へ押し込むだけで、両コネクタハウジングの嵌合作業を終えることができるというメリットがある。
【特許文献１】特開２０００−２８６０１５公報
【発明の開示】
【発明が解決しようとする課題】
【０００３】
ところで、コネクタが多極化した場合には両コネクタハウジング内に収容された雌雄の端子同士の嵌合時における摩擦抵抗が大きくなり、そのため、上記手法に従って両コネクタハウジングを嵌合しようとすると、他方のコネクタハウジングを押し込む際に過大な操作力が必要とされ、作業負担が大きいという問題がある。  
そこで、操作力の軽減を図ることが求められるが、上記の場合には、両コネクタハウジングがその嵌合動作の進むにつれて作業者の手指の届き難い奥まった位置に移行するため、仮に、両コネクタハウジングのいずれか一方に嵌合動作を助勢するレバー等を組み付けたとしても、これを操作することができないという事情がある。
【０００４】
本発明は上記のような事情に基づいて完成されたものであって、押し込みによる操作力を利用して両コネクタハウジングを嵌合させる場合に、その操作力の軽減を図ることを目的とする。
【課題を解決するための手段】
【０００５】
上記の目的を達成するための手段として、請求項１の発明は、ケーシング内に収容された状態で互いに嵌合される第１及び第２のコネクタハウジングと、前記ケーシングに対して前記両コネクタハウジングの嵌合方向と略直交する方向に進退可能に組み付けられるスライド部材と、前記スライド部材と前記ケーシングのいずれか一方に回動可能に装着され、その回動中心から離れた位置に、他方に設けられた操作カム受け部に係合する操作カム部が形成されるとともに、この操作カム部よりも前記回動中心側に近い位置に、前記第１のコネクタハウジングに設けられたカム部に係合されるカム受け部の形成されたレバーとを備え、前記スライド部材を前記ケーシング側へ押し込むことにより、前記操作カム部と前記操作カム受け部との係合位置を力点、前記カム部と前記カム受け部との係合位置を作用点とするてこを構成して前記レバーを回動させ、このレバーの回動動作に伴って前記カム部が前記カム受け部に沿って相対的に移動することで、前記第１のコネクタハウジングを前記ケーシングに対して相対変位させるとともに、この第１のコネクタハウジングと係合状態にある前記第２のコネクタハウジングを、前記ケーシングとの間に形成されたカム機構を利用して前記第１のコネクタハウジング側へ引き寄せる構成としたところに特徴を有する。
【０００６】
請求項２の発明は、請求項１に記載のものにおいて、前記ケーシングには前記第１のコネクタハウジングを受け入れるための第１の開口部が形成され、この第１の開口部の内側縁には前記第１のコネクタハウジングを誘い込むための誘い込み面が形成されているところに特徴を有する。
【０００７】
請求項３の発明は、請求項１または請求項２に記載のものにおいて、前記ケーシングには前記第２のコネクタハウジングを受け入れるための第２の開口部が形成され、この第２の開口部と対向する位置には、前記第２の開口部を通して前記ケーシング内に進入する前記第２のコネクタハウジングの装着方向の前面を覆うようにして保護壁が形成されているところに特徴を有する。
【０００８】
請求項４の発明は、請求項１ないし請求項３のいずれかに記載のものにおいて、前記第１のコネクタハウジングと前記ケーシングのいずれか一方にはガイド部が突出して形成され、他方には前記嵌合方向と略直交する方向に延出するガイド溝が形成されており、前記ガイド部が前記ガイド溝に沿って相対的に移動することで、前記第１のコネクタハウジングを前記ケーシングに対して前記嵌合方向と略直交する方向に相対変位させ、その状態で前記両コネクタハウジングを嵌合させるようになっているところに特徴を有する。
【０００９】
請求項５の発明は、請求項４に記載のものにおいて、前記ガイド溝が前記ケーシング側に形成されており、前記レバーには前記ケーシングに対してこのレバーを回動初期位置に留め置くための弾性係止部が形成されており、前記弾性係止部は、常には前記ガイド溝に溝壁に弾性的に係止されており、前記第１のコネクタハウジングが前記ケーシング内に装着されるのに伴って前記ガイド部と干渉してその係止状態を解除することにより、前記レバーの回動動作を許容するようになっているところに特徴を有する。
【００１０】
請求項６の発明は、請求項１ないし請求項５のいずれかに記載のものにおいて、前記第１のコネクタハウジングには、前記ケーシングに対する装着方向の先端面に、検知部が突出して形成されており、前記スライド部材の操作面には、前記両コネクタハウジングが正規嵌合されたときに、前記検知部を突入させる検知窓が形成されているところに特徴を有する。
【００１１】
請求項７の発明は、請求項６に記載のものにおいて、前記検知部の突出端は、前記両コネクタハウジングが正規嵌合されたときに、前記検知窓の開口と略面一で揃えられるか、あるいはその開口から突き出た位置に配されているところに特徴を有する。
【００１２】
請求項８の発明は、請求項７に記載のものにおいて、前記スライド部材の操作面には、前記検知窓の開口から突き出る前記検知部の突出端と隣接して保護リブが立ち上げ形成されているところに特徴を有する。
【００１３】
請求項９の発明は、請求項１ないし請求項８のいずれかに記載のものにおいて、前記スライド部材と前記ケーシングのいずれか一方には撓み変形可能なケースロック部が突出して形成され、他方にはケースロック受け部が形成されており、前記両コネクタハウジングが正規嵌合されたときには、前記ケースロック部が前記ケースロック受け部に弾性的に係止するようになっているところに特徴を有する。
【００１４】
請求項１０の発明は、請求項９に記載のものにおいて、前記スライド部材を押し込み操作する過程では、前記ケースロック部が前記ケースロック受け部との係合位置に至る手前に配された突き当て面に突き当たってその押し込み操作が規制され、さらにこの突き当たりに起因する抵抗を上回る操作力を前記スライド部材に付与することにより、前記ケースロック部が前記突き当て面から解離するとともにその慣性力によって前記スライド部材が一気に押し込まれるようになっているところに特徴を有する。
【００１５】
請求項１１の発明は、請求項１ないし請求項１０のいずれかに記載のものにおいて、前記カム機構は、前記ケーシングと前記第２のコネクタハウジングのいずれか一方に設けられたガイドカム溝と、他方に突出して設けられたガイドカム部とからなり、前記ガイドカム溝の内部には、前記両コネクタハウジングの嵌合前に前記ガイドカム部と干渉することで前記第２のコネクタハウジングが前記第１のコネクタハウジング側へ移動するのを規制する仮保持部が形成されているところに特徴を有する。
【００１６】
請求項１２の発明は、請求項１ないし請求項１１のいずれかに記載のものにおいて、前記カム機構は、前記ケーシングと前記第２のコネクタハウジングのいずれか一方に設けられたガイドカム溝と、他方に突出して設けられたガイドカム部とからなり、前記ガイドカム部は、前記ガイドカム溝の両側面に対してそのガイドカム溝の延出する方向に沿って長く当たり合う回転防止面を有しているところに特徴を有する。
【００１７】
請求項１３の発明は、請求項１１または請求項１２に記載のものにおいて、前記ガイドカム溝は、複数の前記ガイドカム部と対応するように、前記第２のコネクタハウジングの移動方向に沿って互いに略平行して複数設けられているところに特徴を有する。
【００１８】
請求項１４の発明は、請求項１３に記載のものにおいて、前記第２のコネクタハウジングを前記ケーシングに装着する過程では、前記ガイドカム部が、前記ガイドカム溝の溝縁部を弾性的に乗り越えたあと前記ガイドカム溝に嵌合するようになっており、かつ、前記複数のガイドカム部のうち、前記ケーシングに対する前記第２のコネクタハウジングの装着方向の前側に位置するガイドカム部が、後側に位置するガイドカム部よりも、その突出高さが低くなるように設定されているところに特徴を有する。
【００１９】
請求項１５の発明は、請求項１ないし請求項１４のいずれかに記載のものにおいて、前記第１のコネクタハウジングは前記嵌合方向と略直交する方向に移動して前記第２のコネクタハウジングに係合するようになっており、前記第１のコネクタハウジングには、前記第２のコネクタハウジングの受け入れ側を開放させた枠状の案内壁が形成されており、前記第２のコネクタハウジングが前記案内壁の内側に嵌入されるようになっているところに特徴を有する。
【００２０】
請求項１６の発明は、請求項１５に記載のものにおいて、前記第１のコネクタハウジングは、雄端子を収容した雄側のコネクタハウジングであって、前記雄端子のタブを突出した状態で配するフード部を備えており、前記フード部内にはムービングプレートが組み付けられ、前記ムービングプレートは、前記タブを位置決めした状態で挿通する挿通孔を有し、前記両コネクタハウジングの嵌合時には前記タブを前記挿通孔から突出させつつ後退するようになっており、かつ、前記案内壁が、前記ムービングプレートに形成されているところに特徴を有する。
【００２１】
請求項１７の発明は、請求項１ないし請求項１６のいずれかに記載のものにおいて、前記レバーは前記ケーシングの幅方向両側に一対配置されており、前記スライド部材は、操作部とその両側端から突出する一対のスライド装着部とで門型状をなし、前記両スライド装着部と前記ケーシングとの間に前記レバーを挟んだ状態で前記ケーシングに対して跨るように装着されているところに特徴を有する。
【００２２】
請求項１８の発明は、請求項１７に記載のものにおいて、前記スライド部材は、前記レバーを介して前記ケーシングに対して一体的に連結されているところに特徴を有する。
【００２３】
請求項１９の発明は、請求項１ないし請求項１８のいずれかに記載のものにおいて、前記第２のコネクタハウジングは、前記ケーシングに対して初期位置と終端位置との間を移動可能に組み付けられ、前記終端位置にて前記第１のコネクタハウジングと正規嵌合可能とされており、前記第１のコネクタハウジングは、前記ケーシングに対して前記第２のコネクタハウジングの前記移動方向と交差する方向に相対変位可能とされ、その変位過程で前記第２のコネクタハウジングと係合状態となるものであり、さらに、前記第１のコネクタハウジングには当て部が設けられ、前記第２のコネクタハウジングには、この第２のコネクタハウジングが前記終端位置から前記初期位置へ戻る移動方向で前記当て部と対向する当て受け部が設けられており、前記両コネクタハウジングの離脱時に、前記第１のコネクタハウジングの変位動作に伴い前記当て受け部が前記当て部によって持ち上げられることにより、前記第２のコネクタハウジングが前記初期位置へ強制的に戻されるところに特徴を有する。
【００２４】
請求項２０の発明は、請求項１９に記載に記載のものにおいて、前記第１のコネクタハウジングは筒状のフード部を備えており、前記当て部は、前記フード部の開口縁に形成され、前記当て受け部は、前記両コネクタハウジングが係合状態にあるときに、前記フード部内に進入可能なように前記第１のコネクタハウジング側へ突出して形成されているところに特徴を有する。
【００２５】
請求項２１の発明は、請求項１９または請求項２０に記載のものにおいて、前記ケーシングには、前記第２のコネクタハウジングの前記初期位置へ戻る移動方向の前面に当接可能とされたストッパ壁が形成されており、このストッパ壁は、バネ性を有し、前記当て受け部が前記当て部によってオーバーストローク気味に持ち上げられたときに撓み変形しつつ前記第２のコネクタハウジングを受け止めるようになっているところに特徴を有する。
【００２６】
請求項２２の発明は、請求項１ないし請求項２１のいずれかに記載のものにおいて、前記第１のコネクタハウジングは、雄端子を収容した雄側のコネクタハウジングであって、前記雄端子のタブを突出した状態で配するフード部を備えており、前記フード部内にはムービングプレートが組み付けられ、前記ムービングプレートは、前記タブを位置決めした状態で挿通する挿通孔を有し、前記両コネクタハウジングの嵌合時には前記第２のコネクタハウジングに押されて前記タブを前記挿通孔から突出させつつ後退するようになっており、さらに、前記フード部には、前記ムービングプレートに設けられたプレート係止受け部に係止することで前記ムービングプレートの後退移動を規制するプレート係止部が形成されており、このプレート係止部と前記プレート係止受け部とによる係止構造が、少なくとも前記ムービングプレートの中心を挟んだ対角位置に、対をなして設けられているところに特徴を有する。
【００２７】
請求項２３の発明は、請求項１ないし請求項２２のいずれかに記載のものにおいて、前記レバーには、このレバーの回動接線方向に延出して板厚方向に撓み変形可能とされた弾性係止部が形成されており、この弾性係止部の自由端側には、前記ケーシングに設けられたレバー受け部に対し前記レバーの回動方向で当たり合うことで前記レバーを回動初期位置に留め置く回動規制面が備えられているところに特徴を有する。
【発明の効果】
【００２８】
＜請求項１の発明＞
ケーシング内に両コネクタハウジングを収容させ、両コネクタハウジングを互いに係合させる。このとき、第１のコネクタハウジングのカム部をレバーのカム受け部に臨ませた状態とする。次に、スライド部材をケーシングに対して両コネクタハウジングの嵌合方向と略直交する方向に押し込む。すると、レバーの操作カム部と操作カム受け部との係合位置を力点、カム部とカム受け部との係合位置を作用点とするてこを構成してレバーが回動する。このレバーの回動動作に伴いカム部がカム受け部に沿って相対的に移動することにより、第１のコネクタハウジングをケーシングに対して相対変位させるとともに、この第１のコネクタハウジングと係合状態にある第２のコネクタハウジングを、ケーシングとの間に形成されたカム機構を利用して第１のコネクタハウジング側へ引き寄せ、もって両コネクタハウジングを正規嵌合させる。スライド部材を押し込むことにより、操作カム部と操作カム受け部との係合位置を力点、カム部とカム受け部との係合位置を作用点とするてこを構成することになり、これにより、小さい操作力でもって両コネクタハウジングを嵌合させることができる。
【００２９】
＜請求項２の発明＞
仮に、第１のコネクタハウジングが作業者の手指の届き難い奥まった位置に固定されている場合には、ケーシング内に第１のコネクタハウジングを収容するときに、両者間の位置合わせが困難となって作業しづらいという事情がある。しかし、本発明によれば、ケーシングにおける第１の開口部の内側縁に誘い込み面が形成されているから、この誘い込み面によってケーシングと第１のコネクタハウジングとの間の位置ずれを矯正でき、もって第１のコネクタハウジングをケーシング内へ迅速かつ確実に誘導することができる。
【００３０】
＜請求項３の発明＞
第２の開口部を通してケーシング内に第２のコネクタハウジングが進入すると、第２のコネクタハウジングの装着方向の前面が保護壁によって覆われるから、第２のコネクタハウジングが異物と干渉してケーシング内を不用意に動き出す事態を回避できる。
【００３１】
＜請求項４の発明＞
ケーシングに対して第１のコネクタハウジングをガイド溝に沿って嵌合方向と略直交する方向に相対変位させ、第１のコネクタハウジングをケーシング内に収容させる。その状態で、両コネクタハウジングを嵌合させるから、第１のコネクタハウジングの嵌合位置が嵌合方向に位置ずれするのを防止できる。
【００３２】
＜請求項５の発明＞
弾性係止部は、常にはケーシングに形成されたガイド溝の溝壁に弾性的に係止されているが、第１のコネクタハウジングがケーシング内に装着されるのに伴ってガイド部と干渉してその係止状態を解除し、これによりレバーの回動動作を許容する。つまり、第１のコネクタハウジングの装着動作を利用して弾性係止部による係止状態を解除するから、レバーの係止解除操作を独立して行う必要がなく、手間が省ける。
【００３３】
＜請求項６の発明＞
両コネクタハウジングが正規嵌合されると、第１のコネクタハウジングに形成された検知部がスライド部材の操作面に形成された検知窓に突入するようになっているから、作業者の目につき易いスライド部材の操作面を通して、検知部が検知窓に突入したか否かを視認することにより、両コネクタハウジングの嵌合状態を検知することができる。
【００３４】
＜請求項７の発明＞
両コネクタハウジングが正規嵌合されると、検知部の突出端が検知窓の開口と略面一で揃えられるか、あるいはその開口から突き出た位置に配されるから、視認性がより良好となる。
【００３５】
＜請求項８の発明＞
検知窓の開口から突き出る検知部の突出端の高さ位置とスライド部材の操作面に立ち上げ形成された保護リブの突出端の高さ位置とを見比べることで、両コネクタハウジングの嵌合状態を容易に検知することができる。また、検知部が、検知窓の開口から突き出ることで露出状態になるという事情があっても、その露出部分が保護リブによって保護される。
【００３６】
＜請求項９の発明＞
両コネクタハウジングが正規嵌合されたときには、ケースロック部とケースロック受け部とが弾性的に係止することにより、スライド部材とケーシングとが離脱規制された状態に保持される。これにより、両コネクタハウジング側にロック手段を設けなくて済む。
【００３７】
＜請求項１０の発明＞
スライド部材を押し込む過程で、ケースロック部がケースロック受け部に突き当たってその押し込み操作が規制され、さらにこの突き当たりに起因する抵抗を上回る操作力をスライド部材に付与することにより、ケースロック部が突き当て面から解離するとともにその慣性力によってスライド部材が一気に押し込まれるようになっているから、スライド部材とケーシングとを正規のロック位置に確実に至らしめることができ、ひいては両コネクタハウジングが半嵌合状態に置かれるのを防止できる。
【００３８】
＜請求項１１の発明＞
ガイドカム部がガイドカム溝の内側に形成された仮保持部と干渉することにより、両コネクタハウジングの嵌合前に、第２のコネクタハウジングがガイドカム溝に沿って第１のコネクタハウジング側へ不用意に動き出す事態を回避できる。
【００３９】
＜請求項１２の発明＞
ガイドカム部がガイドカム溝の両側面に対してそのガイドカム溝の延出する方向に沿って長く当たり合う回転防止面を有しているから、ガイドカム部がガイドカム溝内で回転して第２のコネクタハウジングが揺動する事態を回避できる。
【００４０】
＜請求項１３の発明＞
ガイドカム溝が複数のガイドカム部に対応するように第２のコネクタハウジングの移動方向に沿って略平行して複数設けられているから、第２のコネクタハウジングの移動姿勢が安定する。
【００４１】
＜請求項１４の発明＞
ケーシングに対する第２のコネクタハウジングの装着方向の前側に位置するガイドカム部が、後側に位置するガイドカム部よりも、その突出高さが低くなるように設定されているから、第２のコネクタハウジングをケーシングに装着する作業の終盤に至るまで、ガイドカム部とガイドカム溝の溝縁部との当接に伴う抵抗を感じさせないようにすることができ、第２のコネクタハウジングを装着する際の作業性が良好となる。
【００４２】
＜請求項１５の発明＞
第１のコネクタハウジングには第２のコネクタハウジングの受け入れ側を開放させた枠状の案内壁が形成され、第２のコネクタハウジングが案内壁の内側に嵌入されるようになっているから、第２のコネクタハウジングを第１のコネクタハウジングとの嵌合開始可能な位置に位置決めすることができる。
【００４３】
＜請求項１６の発明＞
案内壁がムービングプレートに形成されているから、フード部の構造を簡略化することができる。
【００４４】
＜請求項１７の発明＞
レバーがケーシングの幅方向両側に一対配され、スライド部材が操作部とその両側端から突出する一対のスライド装着部とで門型状をなし、両スライド装着部とケーシングとの間にレバーを挟んだ状態でケーシングに対して跨るように装着されるから、コネクタ装置全体として構造的なバランスがとれ、スライド部材を押し込む際の操作性が良好となる。
【００４５】
＜請求項１８の発明＞
スライド部材がレバーを介してケーシングに対して一体的に連結されているから、部品点数の削減を図ることができ、取り扱い性が良好となる。
【００４６】
＜請求項１９の発明＞
嵌合状態にある両コネクタハウジングの離脱時に、第２のコネクタハウジングに設けられた当て受け部が第１のコネクタハウジングの変位動作に伴ってこの第１のコネクタハウジングに設けられた当て部により持ち上げられ、第２のコネクタハウジングが初期位置へ強制的に戻されることにより、第２のコネクタハウジングが初期位置に簡単かつ確実に復帰されるから、繰り返しの連続使用に適する。
【００４７】
＜請求項２０の発明＞
当て部がフード部の開口縁に形成され、当て受け部がフード部内に進入可能なように第１のコネクタハウジング側へ突出して形成されているから、当て受け部の突出量を調整することにより第２のコネクタハウジングの移動ストローク量を設定することができる。
【００４８】
＜請求項２１の発明＞
当て受け部が当て部によってオーバーストローク気味に持ち上げられると、ケーシングに設けられたストッパ壁が撓み変形しつつ第２のコネクタハウジングを受け止めるようになっているから、第２のコネクタハウジングの実際の移動ストローク量が設定値とずれていても、そのずれ量を吸収することができる。また、ストッパ壁の弾性復帰に伴い、第２のコネクタハウジングを初期位置へ至らすことも可能である。
【００４９】
＜請求項２２の発明＞
フード部に設けられたプレート係止部とムービングプレートに設けられたプレート係止受け部とによる係止構造が少なくともムービングプレートの中心を挟んだ対角位置に対をなして設けられているから、かかる係止構造がムービングプレートの中心に一つだけ設定されているものと比べて、ムービングプレートの移動姿勢が軸交差方向に傾いたりせず安定化する。その結果、雄端子のタブの接続姿勢も安定化するから、相手端子との接続信頼性が向上する。
【００５０】
＜請求項２３の発明＞
レバーにはこのレバーの回動接線方向に延出して板厚方向に撓み変形可能とされた弾性係止部が形成されており、この弾性係止部の自由端側には、ケーシングに設けられたレバー受け部に対しレバーの回動方向で当たり合うことで前記レバーを回動初期位置に留め置く回動規制面が備えられているから、レバーが回動初期位置にあるときに、弾性係止部によるロックが不用意に外れることがない。
【発明を実施するための最良の形態】
【００５１】
＜実施形態１＞
本発明の実施形態１を図１ないし図３０に基づいて説明する。本実施形態に係るコネクタ装置は、雌ハウジング１０（本発明の第２のコネクタハウジングに相当する）と、雌ハウジング１０に嵌合可能な雄ハウジング３０（本発明の第１のコネクタハウジングに相当する）と、両ハウジング１０，３０が収容されるケーシング５０と、ケーシング５０に対して進退可能に装着されるスライド部材８０と、スライド部材８０の操作力を軽減させるとともに両ハウジング１０，３０の嵌合動作を助勢するレバー７０とから構成される。そして、スライド部材８０は、例えば、自動車のダッシュボード側の取付面Ｆの近傍に配され、雄ハウジング３０はこれと対向するエンジンルーム側の取付面Ｂに固定されており、あらかじめ雌ハウジング１０の収容されたケーシング５０に対して雄ハウジング３０を装着させた状態で、スライド部材８０をエンジンルーム側へ押し込むことにより、その押し込み方向と略直交する方向に両ハウジング１０，３０を接近させ、もって両ハウジング１０，３０同士を嵌合させるようになっている。
【００５２】
雌ハウジング１０は、図２１に示すように、合成樹脂材によってブロック状に形成され、その内部に、図示しない電線の端末に接続された雌端子を挿入可能な複数のキャビティ１１を有している。雌ハウジング１０の前半部１０Ａは、図１７に示すように、後半部１０Ｂとの間に段付面１２を介して後半部１０Ｂよりも一段落ちた位置にあり、その両側面には、前後方向に沿って一対の嵌合ガイドリブ１３が形成されている。嵌合ガイドリブ１３は雄ハウジング３０側に形成された嵌合ガイド溝３１内に進入して両ハウジング１０，３０の嵌合動作を案内するようになっている。また、雌ハウジング１０の上面前端両側部には、一対の解除突部１４が形成されており、この解除突部１４が雄ハウジング３０側に撓み変形可能に形成された弾性ロック片３２と係合することにより、弾性ロック片３２を上方へ撓ませて、ムービングプレート４０（後述する）に対するロックを解除するようになっている。
【００５３】
雌ハウジング１０の後面両側端部には、一対の装着ガイド部１５が後方へ突出して形成されており、この装着ガイド部１５がケーシング５０側に形成された装着ガイド受け部５１と摺接してケーシング５０に対する雌ハウジング１０の装着動作を案内するようになっている。そして、雌ハウジング１０の後半部１０Ｂの両側面には、それぞれ、上下方向に間隔をあけて一対のガイドカム部１６が突出して形成されている。ガイドカム部１６は、ケーシング５０側に形成されたガイドカム溝５２内に進入し、このガイドカム溝５２に沿って相対的に移動することで、雌ハウジング１０を雄ハウジング３０側へ接近させるようになっている。詳しくはガイドカム部１６は、断面多角形状をなし、上方に位置するガイドカム部１６Ａが下方に位置するガイドカム部１６Ｂよりも、その突出高さが低くなるように設定されている。ガイドカム部１６の前後両面は略鉛直に切り立って配され、また、ガイドカム部１６の上下両面は、互いに略平行に前方へ向けてテーパ状の下り勾配となっている。このガイドカム部１６の上下両面は、ガイドカム溝５２の両側面とその延出方向に沿って長い範囲で当たり合うようになっており、これによりガイドカム部１６がガイドカム溝５２内で回転するのが防止されるようになっている。このようにガイドカム部１６の上下両面が回転防止面１６Ｅとして機能することにより、雌ハウジング１０がケーシング５０内で揺動しないようになっている。
【００５４】
雄ハウジング３０は、図７に示すように、端子収容部３３とその前面から前方へ突出するフード部３４とを備えている。雄ハウジング３０の上面両端部には、前後方向に延出する一対のレール部３５が形成されている。両レール部３５の対向面には装着溝３５Ａが凹設されており、ここに取付部材２０がスライド装着されることで、雄ハウジング３０が取付部材２０を介して取付面Ｂに固定されるようになっている。雄ハウジング３０の上面中央部には撓み片３６が斜め上前方へ向けて片持ち状に突出して形成されており、この撓み片３６が取付部材２０に形成された取付開口２１の開口縁に抜け止め状態で係止するようになっている。この撓み片３６の根元は、フード部３４と端子収容部３３との境界位置に設定されている。
【００５５】
取付部材２０は、金属製であって、中間部２２が下方へ張り出すように略コの字に曲げ形成されており、その底壁に、取付開口２１が形成されている。また、取付部材２０の上壁を構成する一対のフランジ部２３には、図２４に示すように、それぞれ、ボルト通し孔２４が貫通して形成されており、このボルト通し孔２４を介して取付部材２０が取付面Ｂにボルト締めされるようになっている。なお、両ボルト通し孔２４のうちの一つは、前後方向に長径の長孔となっている。
【００５６】
雄ハウジング３０の両側面略中央部には、図６に示すように、それぞれ、一対のカム部３７が突出して形成されている。カム部３７は、略円柱状をなし、ケーシング５０に形成されたカム通し溝５３を貫通してレバー７０に形成されたカム受け部７１と係合するようになっている。レバー７０の回動操作に伴いカム部３７がカム受け部７１に沿って相対的に移動するようになっている。
【００５７】
雄ハウジング３０の両側面前端縁には、それぞれ、上下方向の全域に亘って延出するガイドリブ３８が形成されている。ガイドリブ３８は、ケーシング５０に形成されたガイド受け溝５４に係合してこのガイド受け溝５４に沿って移動可能となっている。また、雄ハウジング３０の両側面後端寄りの位置には、それぞれ、上下方向に間隔をあけて配された一対のガイド部３９が形成されている。ガイド部３９は、上記同様、ケーシング５０に形成されたガイド溝５５に係合してこのガイド溝５５に沿って移動可能となっており、これにより雄ハウジング３０がケーシング５０に対して上下方向に相対変位するようになっている。なお、雄ハウジング３０は取付面Ｂに固定されているので、見かけ上はケーシング５０が上下方向に移動するものである（以下に同じ）。
【００５８】
そして、上下に配されたガイド部３９のうち下側に位置するガイド部３９Ａは、ガイド溝５５内においてレバー７０に形成された弾性係止部７２と係合してこの弾性係止部７２を係止解除方向に撓み変形させるようになっており、これにより回動初期位置に置かれていたレバー７０のロックを解除するようになっている。この下側に位置するガイド部３９の下面は、テーパ状に切り欠かれた解除案内面３９Ａとされ、この解除案内面３９Ａに沿って弾性係止部７２が円滑に撓み変形し得るようになっている。
【００５９】
雄ハウジング３０の下面両側端部には、一対の検知部４１が突出して形成されている。検知部４１は、角ブロック状をなし、雄ハウジング３０の下面両側部にその前後長さの全長に亘って一体に接合されるとともに、その突出端側へ向かって長さ寸法及び幅寸法を減退させた形態となっている。詳しくは、検知部４１は、図２６に示すように、四つの側面のうち互いの対向面４１Ａを除いた三面がテーパ面４１Ｂとされ、このテーパ面４１Ｂがケーシング５０に形成された誘い込み面５０Ｂと係合することで、雄ハウジング３０がケーシング５０内に誘い込まれるようになっている。
【００６０】
また、端子収容部３３は、図２２に示すように、雌ハウジング１０側のキャビティ１１と対応する位置に、図示しない電線の端末に接続された雄端子を挿入可能な複数のキャビティ４２を有している。フード部３４は、略角筒状をなし、その内側に雄端子のタブを突出した状態で配している。そして、フード部３４の上壁は、下壁よりもその前端位置が前方に設定されており、その突き出た部分から両側壁にかけて覆い壁４３が形成されている。覆い壁４３は、下方を開放させた枠状をなし、その内側に下方から雌ハウジング１０を受け入れるようになっている。
【００６１】
フード部３４の両側壁前縁には、一対の嵌合ガイド部４４が前方へ突出して形成されている。嵌合ガイド部４４は、両側壁に形成された覆い壁４３とほぼ同じ突出寸法をもってこの覆い壁４３の下方に並んで配され、その内側に、ムービングプレート４０のプレートガイド突部４５と係合可能なプレートガイド凹部４６が形成されている。
【００６２】
フード部３４の上壁には、上下の板部からなる二重板構造領域が形成されている。このうち下側の板部には、ムービングプレート４０を係止可能な一対の弾性ロック片３２が撓み変形可能に形成されている。弾性ロック片３２は、端子収容部３３の前端にその根元を接続させた状態で前方へ向けて片持ち状に延出して形成され、その根元を撓み支点として上下方向に撓み変形可能となっている。この弾性ロック片３２の先端部にはロック突起３２Ａが下方へ向けて突出して形成されている。また、上側の板部は、図２２に示すように、弾性ロック片３２との間に撓み許容空間を保有して弾性ロック片３２の上方を覆う膨出部４７として構成されている。横並びで設けられた両膨出部４７間の溝底後端には、上記した撓み片３６が配置されている。なお、両レール部３５は、覆い壁４３よりも、その前端位置が後退した位置に設定されている。
【００６３】
ムービングプレート４０は、図１５及び図２２に示すように、略方形板状のプレート本体４８と、このプレート本体４８の周縁から前方に突出する嵌合筒部４９とからなる。プレート本体４８は、フード部３４の開口を閉止可能な大きさをもって形成され、雄端子のタブを位置決めした状態で挿通可能な複数の挿通孔４０Ａを有している。
【００６４】
嵌合筒部４９の上半部は、下半部よりも、その前端位置がより前方に設定され、その前方へ突出する部分が、上壁から両側壁にかけて門型枠状をなす案内壁６１となっている。雌ハウジング１０は、下方から案内壁６１の内側に嵌入され、これにより雄ハウジング３０との嵌合開始可能な位置に位置合わせされるようになっている。
【００６５】
嵌合筒部４９の上壁両側前端部には、図１６に示すように、一対の被ロック部６２が両持ち梁状に架け渡されており、この被ロック部６２の後方が透孔６３として開放されている。被ロック部６２の後面には弾性ロック片３２のロック突起３２Ａが弾性的に係止するようになっており、これによりムービングプレート４０がフード部３４内に位置決めされた状態で仮係止されるようになっている。一方、下方から雌ハウジング１０がフード部３４内に挿入されると、雌ハウジング１０側の解除突部１４がムービングプレート４０の透孔６３内に進入してロック突起３２Ａを押し上げ、これによりムービングプレート４０の仮係止状態が解除されるようになっている。透孔６３の幅方向両側縁には、プレートガイドリブ６４が立ち上げ形成されており、これが膨出部４７と弾性ロック片３２との隙間にプレートガイドリブ６４が進入してムービングプレート４０の移動動作を案内するようになっている。
【００６６】
嵌合筒部４９の両側壁には、一対の嵌合ガイド溝３１が前後方向に延出するとともに前端に開口して形成されている。嵌合ガイド溝３１には雌ハウジング１０側の嵌合ガイドリブ１３が前方から進入するようになっている。また、嵌合筒部４９の両側壁の外側面には、嵌合ガイド溝３１を挟んだ上下位置に、それぞれ、一対のプレートガイド突条６５が前後方向に延出して形成されている。プレートガイド突条６５は、フード部３４の内側面に形成されたプレートガイド溝６６に嵌入するようになっており、これによりムービングプレート４０の移動動作を案内するようになっている。
【００６７】
また、嵌合ガイド溝３１の直下方には、内外に撓み変形可能な一対のプレート撓み片６７が形成されている。プレート撓み片６７の外側面には、プレートガイド突部４５が形成されており、フード部３４側のプレートガイド凹部４６と係合して、上記同様、ムービングプレート４０の移動動作を案内するようになっている。ムービングプレート４０は、両ハウジング１０，３０の嵌合前は、フード部３４内に仮係止されているが、雌ハウジング１０と係合すると、仮係止状態を解除してその移動が許容され、両ハウジング１０，３０の嵌合動作に伴ってフード部３４の奥方へ後退し、それに伴って挿通孔４０Ａからタブを突出させるようになっている。
【００６８】
続いて、ケーシング５０について説明する。ケーシング５０は、合成樹脂製であって、図１８及び図２９に示すように、前後両面と上面前半部及び下面後半部とを開放させた箱型状をなし、その上面前半部の第１の開口部５６を通して上方から雄ハウジング３０が挿入されるとともに、その下面後半部の第２の開口部５７を通して雌ハウジング１０が挿入されるようになっている。ケーシング５０の両側面の前後両端には、それぞれ、上下方向の全域に亘って延出する一対のスライドガイド部５８が両側方へ突出して形成されている。スライドガイド部５８の互いの対向面にはスライドガイド溝５８Ａが凹設されており、このスライドガイド溝５８Ａに沿ってスライド部材８０が上下方向に移動可能となっている。
【００６９】
また、スライドガイド部５８の上下方向略中央部には、それぞれ、一対のケースロック受け部６８が両側方へ突出して形成されている。ケースロック受け部６８は、スライド部材８０を受け入れる側とは反対側となる上面を開放させた浅底箱状をなし、その内側にスライド部材８０に撓み変形可能に形成されたケースロック部８１を進入させるとともにこのケースロック部８１に弾性的に係止され、スライド部材８０をケーシング５０に対してロックするようになっている。
【００７０】
ケーシング５０の後半部の内側には、上壁と両側壁後半部とにより区画された雌ハウジング１０の収容空間が保有されている。ケーシング５０の上壁は、第２の開口部５７を通してケーシング５０内に装着される雌ハウジング１０の上面を覆うように配された保護壁５９として構成されている。雌ハウジング１０が装着位置に至ると、雌ハウジング１０の上面に保護壁５９の下面が当接するようになっている。  
ケーシング５０の上壁の前端部には、矩形状をなす一対の嵌合片６９が前方へ突出して形成されている。この嵌合片６９は、雌ハウジング１０の後半部１０Ｂに切り込み形成された嵌合受け溝１０Ｅに嵌合可能となっている。  
ケーシング５０の両側壁後半部の後端内側面には、それぞれ、上下方向に延出するとともに前方へ開口する装着ガイド受け部５１が形成されており、雌ハウジング１０の装着時には、この装着ガイド受け部５１が雌ハウジング１０側の装着ガイド部１５と係合可能となっている。
【００７１】
そして、ケーシング５０の両側壁後半部には、それぞれ、その後端部から前端部にかけて下り勾配のテーパ状をなすように延出する二軸のガイドカム溝５２が形成されている。両ガイドカム溝５２は、互いに略平行に配されており、このガイドカム溝５２に雌ハウジング１０側のガイドカム部１６が嵌め入れられ、さらにガイドカム部１６がガイドカム溝５２に沿って相対的に移動することにより、雌ハウジング１０がケーシング５０に対して斜め下前方へ相対変位するようになっている。
【００７２】
また、上側に位置するガイドカム溝５２には、その上端溝縁に根元を接続させた状態で経路上に延出する片持ち状の仮保持部５２Ａが形成されている。仮保持部５２Ａは、その根元を撓み支点として内外に撓み変形可能となっており、その延出端の内側に仮保持突起５２Ｂを有している。ガイドカム部１６は、ガイドカム溝５２内に嵌入されると、仮保持突起５２Ｂの後面と干渉してその移動が規制されるが、レバー７０の回動に伴って押し込み力が付与されると、仮保持部５２Ａが外側に拡開して仮保持突起５２Ｂとの係止状態を解除し、そののち雌ハウジング１０がガイドカム溝５２に沿って移動すると、ガイドカム部１６が仮保持突起５２Ｂを乗り越えるとともに仮保持部５２Ａが弾性復帰するようになっている。
【００７３】
また、ケーシング５０の両側壁後半部の内側面には、それぞれ、両ガイドカム溝５２を縦断しつつ上下方向に延出する逃がし溝７８が凹設されている。逃がし溝７８は、第２の開口部５７から進入する雌ハウジング１０のガイドカム部１６を逃がすために形成されたものである。ガイドカム溝５２の溝縁部で逃がし溝７８の溝底を構成する部分には、ガイドカム溝５２に嵌入されたガイドカム部１６を下支えするための支持リブ７９が形成されている。ガイドカム部１６は逃がし溝７８を通過したあと支持リブ７９を弾性的に乗り越えてガイドカム溝５２に嵌入するようになっている。この場合において、下側に位置する支持リブ７９Ａは、上側に位置する支持リブ７９Ｂよりも、その突出高さが低くなるように設定されており、雌ハウジング１０側の、高さの低い上側に位置するガイドカム部１６Ａがここを通過するときには、このガイドカム部１６Ａとは非干渉となるように設定されている。したがって、ガイドカム部１６は、自身の対応する支持リブ７９を乗り越えるだけでガイドカム溝５２に嵌入可能とされ、これにより雌ハウジング１０とケーシング５０との間の干渉抵抗が減ぜられて、雌ハウジング１０を装着する際の作業負担が軽減されるようになっている。
【００７４】
また、ケーシング５０の前半部の内側には、下壁と両側壁前半部とにより区画された雄ハウジング３０の収容空間が保有されている。ケーシング５０の下壁の両側部には、雄ハウジング３０側の検知部４１が貫通する貫通孔５０Ｅが開口して形成されている。そして、ケーシング５０の両側壁前半部の前端縁には、内側へ向かって対向状に突出する一対の付設壁５０Ｆが形成されている。この付設壁５０Ｆの上面と両側壁の上面とは、雄ハウジング３０を受け入れるための第１の開口部５６として構成され、その全周には内側へ向かってテーパ状の下り勾配となる誘い込み面５０Ｂが形成されている。雄ハウジング３０を装着する際には、この誘い込み面５０Ｂと検知部４１のテーパ面４１Ｂとが摺接することにより、雄ハウジング３０の装着姿勢が矯正されて、雄ハウジング３０がケーシング５０に対して正規装着されるようになっている。
【００７５】
そして、ケーシング５０の両側壁前半部の外側面には、図１７に示すように、それぞれ、周囲よりも一段落ちた位置に、レバー７０に形成されたレバー本体部７０Ａを装着可能な略円形のレバー装着部５０Ｇが凹設されている。レバー装着部５０Ｇの底面略中心部には、レバー７０を回動可能に支持するための略円柱状の支持ピン７７が立てられており、この支持ピン７７を回動支点としてレバー７０の回動動作が可能となっている。
【００７６】
ケーシング５０の両側壁前半部には、それぞれ、支持ピン７７の上方において上下方向に延出するとともにその上端面（誘い込み面５０Ｂ）に開口するカム通し溝５３が貫通して形成されている。カム通し溝５３には上方から雄ハウジング３０側のカム部３７が進入するようになっており、雄ハウジング３０がケーシング５０に対してレバー７０のロック解除位置まで装着されると、カム部３７がレバー７０に形成されたカム受け部７１の入り口に臨むようになっている。また、ケーシング５０の両側壁前半部の内側面には、それぞれ、カム通し溝５３と略平行に上下方向の全域に亘って延出するガイド溝５５が凹設されている。ガイド溝５５には、上方から雄ハウジング３０側のガイド部３９が進入するようになっている。また、ガイド溝５５のうちレバー装着部５０Ｇを縦断する部分は、貫通して形成されており、その側縁部には外側からレバー７０に形成された弾性係止部７２が弾性的に係止するようになっている。
【００７７】
続いて、レバー７０について説明する。レバー７０は、合成樹脂製であって、図１７及び図３０に示すように、板状のアーム部７３を備えて構成される。アーム部７３の下部には、厚み寸法を増大させたレバー本体部７０Ａが形成されており、このレバー本体部７０Ａの内側面には、所定方向に湾曲して延びるカム受け部７１が凹設されているとともに、このカム受け部７１の近傍位置に、支持ピン７７に嵌合可能な略円形の支持受け部７５が凹設されている。また、アーム部７３の下端には、片持ち状の弾性係止部７２が撓み変形可能に形成されている。アーム部７３は、弾性係止部７２との間にスリット状の空間を保有している。そして、弾性係止部７２の延出端には両側方に張り出すことで略Ｔの字形をなす弾性係止突起７２Ａが形成されている。レバー７０の回動方向で弾性係止突起７２Ａとガイド溝５５の側縁部とが弾性的に係止し合うことにより、レバー７０が回動初期位置で留め置かれるようになっている。一方、雄ハウジング３０がロック解除位置まで装着されることにより、弾性係止突起７２Ａが雄ハウジング３０側のガイド部３９と干渉して弾性係止部７２が外側へ拡開され、これにより弾性係止突起７２Ａとガイド溝５５の側縁部との係止状態が解除されて、レバー７０の回動動作が許容されるようになっている。
【００７８】
また、アーム部７３の上端外側面には、略円柱状の操作カム部７４が突出して形成されている。操作カム部７４は、スライド部材８０に形成された操作カム受け部８２に常時係合されているとともにこの操作カム受け部８２の延出方向に沿って相対的に移動するようになっている。レバー７０は、雄ハウジング３０が装着される前は、弾性係止部７２による係止状態を保持してケーシング５０に対して回動初期位置に留め置かれるようになっている。この場合に、レバー７０は、支持ピン７７と支持受け部７５との係合位置を支点、カム部３７とカム受け部７１との係合位置を作用点、操作カム部７４と操作カム受け部８２との係合位置を力点とするてこを構成し、これに基づいて回動可能となっている。つまり、カム部３７をカム受け部７１の入り口に臨ませた状態で、スライド部材８０をケーシング５０側へ押し込むと、操作カム部７４が操作カム受け部８２に沿って相対的に移動し、これに伴ってレバー７０が支持ピン７７を回動中心として回動する。そして、レバー７０が回動すると、カム部３７がカム受け部７１に沿って相対的に移動し、もって雄ハウジング３０がケーシング５０に対して下方へ相対変位してケーシング５０内に正規装着されるようになっている。
【００７９】
続いて、スライド部材８０について説明する。スライド部材８０は、合成樹脂製であって、図２１に示すように、操作部８３とその両側端から突出する一対のスライド装着部８５とにより全体として門型に形成されている。そして、スライド部材８０は、スライド装着部８５に装着された取付具９０に対して移動可能に支持されている。
【００８０】
操作部８３の両側部には、図２８に示すように、雄ハウジング３０側の検知部４１がケーシング５０側の貫通孔５０Ｅを通して突入する一対の検知窓８３Ａが開口して形成されている。検知窓８３Ａは、略矩形状をなし、その開口から検知部４１が操作面上に突出するようになっている。また、操作部８３の両側端部には、内側へ対向状に延出する片持ち状の弾性アーム部８４が撓み変形可能に形成されている。弾性アーム部８４の延出端側は、操作部８３の操作面上に位置するように持ち上がっており、そこには検知窓８３Ａの一端外方を覆うように配された階段状の解除操作部８４Ａが形成されている。そして、弾性アーム部８４の基端部には、図１９に示すように、操作部８３の両側縁から側方へ突出する保持突起８４Ｂが形成され、この保持突起８４Ｂが、取付具９０に形成された突起受け部９１に弾性的に係止することにより、スライド部材８０が仮保持位置に留め置かれるようになっている。そして、スライド部材８０を押し込む際に、操作部８３の操作面上に配された弾性アーム部８４の解除操作部８４Ａを押圧操作することにより、弾性アーム部８４を撓み変形させて、保持突起８４Ｂを突起受け部９１から解離させ、もってスライド部材８０を仮保持位置から移動させるようになっている。
【００８１】
スライド装着部８５の前後両端縁には、その外側面が段付状に切り欠かれることで薄肉となったスライドガイド受け部８５Ａが形成されている。スライドガイド受け部８５Ａがスライドガイド溝５８Ａを上下方向に移動することにより、スライド部材８０がケーシング５０に対して進退可能となっている。また、スライド装着部８５には、図１８に示すように、レバー７０側の操作カム部７４と係合可能な操作カム受け部８２が所定方向に湾曲して貫通形成されている。操作カム部７４と操作カム受け部８２とが係合状態を保つことにより、スライド部材８０とケーシング５０とがレバー７０を介して一体的に連結される。
【００８２】
スライド装着部８５の外側面には、操作カム受け部８２の外方を覆うようにしてトンネル状の取付箱部８６が膨出して形成されている。取付箱部８６は、図２８に示すように、スライド装着部８５の外側面の前後両端部から略直角に立ち上げられた立壁８６Ａと両立壁８６Ａの突出端を架け渡す幅広の被覆壁８６Ｂとからなり、その内側に、取付具９０を収容可能となっている。取付箱部８６の内部空間は、図１９に示すように、上端側へ行くに従って窄み形成されており、スライド部材８０が仮保持位置にあるときには、その窄み形成された狭小空間部８７に、取付具９０の先端部が保持されるようになっている。一方、スライド部材８０が押し込まれる過程で、取付具９０の先端部が狭小空間部８７から抜け出ることにより、取付具９０とスライド部材８０との係合状態が解除されるようになっている。
【００８３】
また、取付箱部８６の両立壁８６Ａには、ケースロック部８１が撓み変形可能に形成されている。ケースロック部８１は、両取付箱部８６のそれぞれに一対ずつ計二対配されており、その一端を立壁８６Ａの上端に一体に接続させるとともに、その他端を立壁８６Ａの下端寄りの位置に一体に接続させ、もって両持ち梁状となし、かつ、その外側面に、ケースロック突部８１Ａを有するとともにこのケースロック突部８１Ａの下方にロック解除操作部８１Ｂを有して構成される。ケースロック部８１の下端部は、図１に示すように、回曲状に形成されており、ケースロック部８１の撓み変形動作が円滑となるようにしてある。スライド部材８０がケーシング５０に対して正規に組み付けられると、ケースロック突部８１Ａがケースロック受け部６８の下壁を弾性的に乗り越えて、その下壁の上面を係止し、これによりスライド部材８０がケーシング５０に対して抜け止め状態でロックされるようになっている。このロック状態を解除するには、ロック解除操作部８１Ｂを押圧操作して、ケースロック部８１を撓み変形させ、その状態でスライド部材８０をケーシング５０から引く抜くようにする。
【００８４】
ここで、ケースロック突部８１Ａの上面は切り立つように配された衝突面８１Ｅとされている。ケーシング５０に対してスライド部材８０を押し込む過程では、ケースロック突部８１Ａの衝突面８１Ｅがケースロック受け部６８の下壁の下面（本発明の突き当て面に相当する）に突き当たってスライド部材８０の押し込み操作がいったん規制され、さらにこの突き当たりに起因する抵抗を上回る操作力をスライド部材８０に付与することにより、ケースロック部８１が下壁の下面を乗り越えるとともにその慣性力によってスライド部材８０が一気に押し込まれるようになっている。つまり、ケースロック部８１は、いわゆる慣性ロックとして機能しており、これによりスライド部材８０を正規のロック位置に確実に至らしめ、ひいては両ハウジング１０，３０を正規嵌合位置に確実に至らしめることができるようになっている。
【００８５】
取付具９０は、金属製であって、図２及び図１９に示すように、取付箱部８６に進入可能な板状の取付片９２と、取付片９２の一端から直角曲げして形成された板状の固定片９３とからなり、固定片９３がダッシュボード側の取付面Ｆに固定されるようになっている。そして、取付片９２には、弾性アーム部８４の保持突起８４Ｂと弾性的に係止可能な保持受け部９４が切り起こしにより屈曲形成されており、この保持受け部９４に開口する突起受け部９１に保持突起８４Ｂが嵌入するようになっている。また、取付片９２の前後両端部には、保持受け部９４の切り起こし方向とは逆方向に、突っ張り部９５が切り起こしにより屈曲形成されている。スライド部材８０が仮保持位置にあるときには、保持受け部９４と突っ張り部９５とが取付箱部８６の前後内側面に弾性的に押し当てられ、これにより仮保持位置におけるスライド部材８０の取付強度が高められている。
【００８６】
次に、本実施形態の作用について説明する。まず、雌雄の両ハウジング１０，３０を嵌合させるのに先立って、車両側のモジュール（待受側のモジュール）とコックピット側のモジュール（可動側のモジュール）とを組み上げる。待受側となる車両側のモジュールについては、エンジンルーム側の取付面Ｂに取付部材２０をボルト締めして固定し、さらに取付部材２０の中間部２２に対して前方から雄ハウジング３０をスライドさせ、雄ハウジング３０の撓み片３６を取付部材２０の取付開口２１の開口縁に弾性的に係止させるこにより、雄ハウジング３０を固定するようにする。また、雄ハウジング３０のフード部３４内にムービングプレート４０を仮係止させる。
【００８７】
一方、可動側となるコックピット側のモジュールについては、ケーシング５０に対して下方から雌ハウジング１０を装着ガイド受け部５１に沿って挿入するとともに、ガイドカム部１６を対応するガイドカム溝５２に嵌入することで雌ハウジング１０を仮保持状態となし、かつ、ケーシング５０とスライド部材８０とをレバー７０を介して一体的に連結した上で、ダッシュボード側の取付面Ｆに固定された取付具９０に対してスライド部材８０を仮保持位置にて保持させる。このとき、レバー７０は、弾性係止部７２によって回動初期位置に留め置かれ、カム受け部７１の入り口をケーシング５０のカム通し溝５３に臨ませることにより、雄ハウジング３０のカム部３７を受け入れ可能な状態となっている。これにより、車両側のモジュールとコックピット側のモジュールとが、図１、図６、及び図７に示すように、両ハウジング１０，３０の嵌合方向と略直交する方向となる上下方向に間隔をあけて対峙する。
【００８８】
次いで、雌雄の両ハウジング１０，３０を嵌合させる作業について説明する。まず、図１９から図２０にかけて示すように、スライド部材８０の操作面上に突き出る弾性アーム部８４の解除操作部８４Ａを押圧操作して、スライド部材８０の仮保持状態を解除し、その状態でスライド部材８０をケーシング５０とともに雄ハウジング３０側へ移動させる。すると、スライド部材８０の押し込み量が増すに従って、取付具９０の取付片９２の先端部が徐々に後退して行く。しかし、取付具９０の取付片９２の先端部が取付箱部８６の狭小空間部８７に挿通係合されている状態では、取付具９０に対するスライド部材８０の遊動が規制され、ひいてはケーシング５０の遊動が規制されるので、ケーシング５０と雄ハウジング３０との間の位置合わせを、ケーシング５０における第１の開口部５６の誘い込み面５０Ｂと雄ハウジング３０の検知部４１のテーパ面４１Ｂとの形成範囲内で確実に実行することができる。
【００８９】
こうして雄ハウジング３０を第１の開口部５６の誘い込み面５０Ｂに沿ってケーシング５０内に誘い込み、雄ハウジング３０のガイドリブ３８をケーシング５０のガイド受け溝５４に、雄ハウジング３０のカム部３７をケーシング５０のカム通し溝５３に、雄ハウジング３０のガイド部３９をケーシング５０のガイド溝５５に、それぞれ進入させることにより、雄ハウジング３０をケーシング５０内に挿入する。雄ハウジング３０がケーシング５０内に挿入される途中で、図２ないし図４に示すように、取付具９０の取付片９２の先端部が取付箱部８６の狭小空間部８７から完全に抜け出るが、このときには雄ハウジング３０とケーシング５０との間の位置合わせ作業は終了しているので、その後の作業を円滑に行うことができる。
【００９０】
また、図８に示すように、雄ハウジング３０がケーシング５０内に挿入される過程で、雌ハウジング１０の前半部に対してムービングプレート４０の案内壁６１を介して雄ハウジング３０の覆い壁４３が覆い被さる。そして、図９に示すように、両ハウジング１０，３０が係合状態を保ったまま、雄ハウジング３０がケーシング５０に対してガイド溝５５に沿って下方へ相対変位すると、これに連れ立って雌ハウジング１０が仮保持部５２Ａとの係止状態を解除してガイドカム溝５２に沿って移動し、両ハウジング１０，３０が互いに接近する。この間、図１２の（Ｂ）に示すように、弾性ロック片３２が上方へ押し上げられ、ムービングプレート４０に対するロックが解除されて、ムービングプレート４０の移動動作が許容される。
【００９１】
雄ハウジング３０がロック解除位置まで装着されると、図３及び図４に示すように、ガイド溝５５に進入したガイド部３９がレバー７０の弾性係止部７２によるロックを解除し、これによりレバー７０の回動動作が許容され、また同時にスライド部材８０のケーシング５０側への押し込み操作も許容される。このとき、両ハウジング１０，３０に収容された雌雄の両端子の一部は、その先端部をラップさせて、接続動作を開始した状態にある。
【００９２】
この状態で、スライド部材８０をケーシング５０側へ押し込むと、レバー７０の操作カム部７４がスライド部材８０の操作カム受け部８２に沿って相対的に移動し、レバー７０が支持ピン７７を回動中心として図示時計回り方向に回動し始める。すると、図１０から図１１にかけて示すように、雄ハウジング３０のカム部３７がレバー７０のカム受け部７１に沿って相対的に移動し、これに伴って雄ハウジング３０がガイド溝５５に沿ってケーシング５０に対して下方へ相対変位する。また、案内壁６１及び覆い壁４３を介して雄ハウジング３０と係合状態にある雌ハウジング１０がガイド溝５５に沿って相対的に移動する。このとき、実際にはケーシング５０が上方へ徐々に引き上げられるので、雌ハウジング１０は、図１２から図１４にかけて示すように、見かけ上は図示右方へ水平移動する。これに対して、雄ハウジング３０は、既述したように、常時取付面Ｂに固定された状態を保っている。
【００９３】
こうして、図５及び図１１に示すように、スライド部材８０の操作部８３がケーシング５０の下壁に当て止めされる位置に達すると、レバー７０の回動動作が完了して両ハウジング１０，３０が正規嵌合されることになる。このときには、検知部４１がスライド部材８０の検知窓８３Ａから突出した状態となっており、この状態を視認することにより、両ハウジング１０，３０が正規嵌合されたことを知ることができる。一方、両ハウジング１０，３０が正規嵌合されていないときには、雄ハウジング３０がガイド溝５５の下端にまで到達していないので、検知部４１が検知窓８３Ａから突出しないか、あるいは突出してもその突出量が予定した突出量よりも小さくなっており、この状態を視認することにより、両ハウジング１０，３０が半嵌合状態に置かれていることを知ることができる。そして、こうした視認作業は、作業者にとって手前側に位置するスライド部材８０の操作面を見ることにより行われるから、視認性は良好である。
【００９４】
また、操作部８３がケーシング５０の下壁に当て止めされる位置に達すると、スライド部材８０のケースロック部８１がケーシング５０のケースロック受け部６８を弾性的に係止し、これによりスライド部材８０がケーシング５０から離脱規制された状態にロックされる。
【００９５】
以上のように本実施形態によれば、次のような効果を奏する。すなわち、スライド部材８０を押し込むことにより、操作カム部７４と操作カム受け部８２との係合位置を力点、カム部３７とカム受け部７１との係合位置を作用点とするてこを構成してレバー７０を回動するようになっているから、小さい操作力でもって両ハウジング１０，３０を嵌合させることができる。その結果、コネクタが多極化された場合にも好適に利用することができる。
【００９６】
また、雄ハウジング３０が車両側の奥まった位置に設定された取付面Ｂに固定されているという事情があっても、ケーシング５０における第１の開口部５６に形成された誘い込み面５０Ｂによって雄ハウジング３０をケーシング５０内に誘い込むことにより、雄ハウジング３０をケーシング５０内に円滑に挿入させることができる。また、第２の開口部５７を通してケーシング５０内に雌ハウジング１０が進入すると、雌ハウジング１０の上面が保護壁５９によって覆われるから、雌ハウジング１０が異物と干渉してケーシング５０内を不用意に動き出す事態を回避できる。
【００９７】
また、ケーシング５０に対する雄ハウジング３０の装着動作を利用して弾性係止部７２によるレバー７０の係止状態を解除するようになっているから、レバー７０の係止解除操作を独立して行わずに済む。さらに、ガイドカム部１６が略平行な二軸のガイドカム溝５２に沿って相対的に移動するようになっているから、雌ハウジング１０の移動姿勢が安定化する。  
さらに、両ハウジング１０，３０が正規嵌合されたときには、ケースロック部８１とケースロック受け部６８とが弾性的に係止するから、両ハウジング１０，３０側にロック手段を設けなくて済む。さらにまた、スライド部材８０がレバー７０を介してケーシング５０に対して一体的に連結されているから、部品点数の削減を図ることができる。
【００９８】
＜実施形態２＞
続いて、本発明の実施形態２を図３１ないし図５０によって説明する。実施形態２では、雌ハウジング１０Ｑ、雄ハウジング３０Ｑ、ケーシング５０Ｑ、スライド部材８０Ｑ、レバー７０Ｑを備え、雌ハウジング１０Ｑが装着されたケーシング５０Ｑに対してスライド部材８０Ｑを押し込むことにより、その押し込み途中でケーシング５０Ｑ内に雄ハウジング３０Ｑが挿入されるとともにレバー７０Ｑによるカム機構によってその押し込み方向と略直交する方向に両ハウジング１０Ｑ，３０Ｑが接近させられ、さらなる押し込み操作によって両ハウジング１０Ｑ，３０Ｑが正規嵌合状態に至るようになっており、その基本的構造及び両ハウジング１０Ｑ，３０Ｑの嵌合機構は実施形態１と同様である。よって、以下では、実施形態１と同じ構造部位には同一符号を付して重複する説明はなるべく省略することとし、実施形態１と相違する部分について詳細に説明する。
【００９９】
雌ハウジング１０Ｑの両側面には、図３５ないし図３７に示すように、左右一対のガイドカム部１６が突設されており、実施形態１の場合より左右一対分少なくなっている。両ガイドカム部１６は、ケーシング５０Ｑに設けられたガイドカム溝５２に嵌入してこのガイドカム溝５２の延び方向に移動可能とされ、その上下両面が回転防止面１６Ｅとして平行に配されガイドカム溝５２の側縁部に面当り状態で摺動することにより、ガイドカム溝５２内における雌ハウジング１０Ｑの揺動回転を規制している。そして、雌ハウジング１０Ｑは、ガイドカム部１６がガイドカム溝５２の一端側に位置する初期位置と、ガイドカム部１６がガイドカム溝５２の他端側に位置する終端位置との間を変位可能とされており、終端位置にて雄ハウジング３０Ｑと正規嵌合されるようになっている。雌ハウジング１０Ｑの両側面の前端上部には、左右一対の仮保持突部１９が形成されている。両仮保持突部１９がケーシング５０Ｑに設けられた仮保持受け部５２Ｑに係合することにより、雌ハウジング１０Ｑが初期位置に仮係止状態で留め置かれるようになっている。
【０１００】
雌ハウジング１０Ｑの前面には、図３７に示すように、中心を挟んだ対角二位置に、上下一対のプレート係止解除部１８が凹設されている。プレート係止解除部１８は、図３６に示すように、雌ハウジング１０Ｑの前面と上面とに開口して後述するプレート係止部３２Ｒ，３２Ｑの進入を許容する逃し凹部１８Ａと、逃し凹部１８Ａの内面にあってプレート係止部３２Ｒ，３２Ｑの係止構造部分と当接することでその係止状態を解除する解除本体１８Ｂ，１８Ｅとからなる。さらに解除本体１８Ｂ，１８Ｅは、プレート係止部３２Ｒ，３２Ｑにさきに接触する先行解除本体１８Ｅとプレート係止部３２Ｒ，３２Ｑにあとから接触する後行解除本体１８Ｂとからなり、両者が高さ方向で段違いとなっている。
【０１０１】
また、雌ハウジング１０Ｑの前面には、両側面寄りの位置に、左右一対の当て受け部１７が突出して形成されている。当て受け部１７は、図４７に示すように、側面から見ると前方へ突き出た多角形状をなし、両ハウジング１０Ｑ，３０Ｑが嵌合状態にあるときに、雄ハウジング３０Ｑのフード部３４内に進入するようになっている。そして当て受け部１７は、両ハウジング１０Ｑ，３０Ｑの離脱時にフード部３４またはムービングプレート４０Ｑの開口下縁部（以下、当て部３４Ａという）と摺接し、その摺接状態を保ちつつ雌ハウジング１０Ｑを初期位置へ誘導するようになっている。当て受け部１７には前方へ向かって昇り勾配となるテーパ面１７Ａが備えられており、このテーパ面１７Ａが当て部３４Ａと初期位置への移動方向と対向する位置にあってこの当て部３４Ａと相互に摺動することにより、雌ハウジング１０Ｑがガイドカム溝５２に沿って初期位置へ円滑に移動するようになっている。なお、雌ハウジング１０Ｑが初期位置に戻ると、当て部３４Ａと当て受け部１７とは非接触状態となる。
【０１０２】
雄ハウジング３０Ｑの両側面の後端には、図３８に示すように、左右一対ずつのガイド部３９が突設されている。図４６に示すように、両ガイド部３９がケーシング５０Ｑに設けられたガイド溝５５に進入して移動案内されたあとレバー７０Ｑに設けられた弾性係止部７２と係合して、この弾性係止部７２を係止解除方向へ撓み変形させる。雄ハウジング３０Ｑのフード部３４には、図示しない雄端子のタブが突出状態で配されている。フード部３４の上壁には下方を開放させた覆い壁４３が形成されており、この覆い壁４３の内側にムービングプレート４０Ｑが組み付け可能とされる。
【０１０３】
ムービングプレート４０Ｑは、板状をなし、図３８に示すように、雄端子のタブを挿通可能な複数の挿通孔４０Ａを有しフード部３４内にて略垂直に配されるプレート本体４８と、プレート本体４８の周縁から前方へ突出してフード部３４の内側面に摺動可能に配される嵌合筒部４９とからなる。かかるムービングプレート４０Ｑは、プレート本体４８がフード部３４の奥面から離れて位置する端子位置決め位置と、そこから雌ハウジング１０Ｑにより押されて挿通孔４０Ａから雄端子のタブを突出させつつ後退しプレート本体４８がフード部３４の奥面に当接可能に配される端子接続位置（図４９に示す状態）とを移動可能とされる。
【０１０４】
ムービングプレート４０Ｑの嵌合筒部４９の上部には前方へ突出して略門型枠状をなす案内壁６１が形成されている。雌ハウジング１０Ｑは下方から案内壁６１の内側に嵌入され、これにより雄ハウジング３０Ｑとの嵌合開始可能な位置に位置合わせされる。案内壁６１の上壁には、その中央部から前方へ突出する張り出し片６１Ａが形成されている。張り出し片６１Ａは、両ハウジング１０Ｑ，３０Ｑが係合状態にあるときに、ケーシング５０Ｑの上面後半部５９Ｑ（実施形態１における保護壁に相当し、かつ本発明におけるストッパ壁に相当する）に切り欠かれた凹陥部５９Ｒの内側に上方から進入し、雌ハウジング１０Ｑの上面に当接してここを押圧するようになっている。
【０１０５】
ムービングプレート４０Ｑの張り出し片６１Ａには、前後方向に延びる左右一対の切り溝６１Ｂが形成されている。張り出し片６１Ａが雌ハウジング１０Ｑの上面に当接したときに、両切り溝６１Ｂに、雌ハウジング１０Ｑの上面に設けられた左右一対の係合突起２９がそれぞれ進入可能となっている。そして両ハウジング１０Ｑ，３０Ｑの離脱時に、両係合突起２９が切り溝６１Ｂの溝縁に引っ掛け状態で係合することにより、雌ハウジング１０Ｑの変位動作に伴ってムービングプレート４０Ｑが端子接続位置から端子位置決め位置へと連れ戻されるようになっている。また、ムービングプレート４０Ｑの案内壁６１の上壁には、断面鳩尾状をなす左右一対のプレート装着リブ６１Ｅが前後方向に延出して形成されている。フード部３４の内側面にはプレート装着リブ６１Ｅと対応して左右一対のプレート装着溝３４Ｒが形成されており、このプレート装着溝３４Ｒとプレート装着リブ６１Ｅとがありつぎ状態で係合しつつムービングプレート４０Ｑが前後方向に移動案内されるようになっている。
【０１０６】
ムービングプレート４０Ｑのうち、プレート本体４８の中心を挟んだ対角二位置には、上下一対のプレート係止受け部２５，２６が形成されている。プレート係止受け部２５，２６は、プレート本体４８の前面から嵌合筒部４９の内側面にかけて配される扁平な受け台２５と、プレート本体４８における受け台２５の基端周縁部にあって後述するプレート係止部３２Ｒ，３２Ｑを貫通させるプレート係止部通し孔２６とからなる。受け台２５は、プレート係止部通し孔２６の孔面前方と対向する位置に、プレート係止部３２Ｒ，３２Ｑの先端面とムービングプレート４０Ｑの移動方向で当接可能な係止受け本体２７を有している。
【０１０７】
フード部３４の内側面には、ムービングプレート４０Ｑを端子位置決め位置にて移動規制状態で保持するための保持手段が設けられている。保持手段は、図３８に示すように、フード部３４の左右両側面において前方へ向けて片持ち状に突出する左右一対のプレート係止片３２Ｐと、フード部３４の上下両面においてプレート係止受け部２５，２６と対応する位置にあって同じく前方へ向けて片持ち状に突出する上下一対のプレート係止部３２Ｒ，３２Ｑとからなり、プレート係止片３２Ｐはムービングプレート４０Ｑの嵌合筒部４９の左右両側前端と係止することでムービングプレート４０Ｑの前方移動を規制し、プレート係止部３２Ｒ，３２Ｑはムービングプレート４０Ｑのプレート係止受け部２５，２６と係止することでムービングプレート４０Ｑの後退移動を規制している。
【０１０８】
プレート係止片３２Ｐは、フード部３４の外側壁との間に撓み空間を保有して撓み変形可能とされ、その先端爪部３２Ｇがムービングプレート４０Ｑと弾性的に当接可能とされている。また、プレート係止部３２Ｒ，３２Ｑは、フード部３４の奥面から前方へ片持ち状に突出する弾性撓み片３２Ｑと、弾性撓み片３２Ｑとの間に撓み空間を保有しつつ略平行に配されてこの弾性撓み片３２Ｑの過度撓みを防止する略角棒状の過度撓み規制部３２Ｒとからなり、これらがいずれもムービングプレート４０Ｑのプレート係止部通し孔２６を貫通し、さらに雌ハウジング１０Ｑの逃し凹部１８Ａ内に突入するようになっている。
【０１０９】
弾性撓み片３２Ｑの先端部には係止本体３２Ｆが形成されており、この係止本体３２Ｆの係止面３２Ｈがプレート係止受け部２５，２６の係止受け本体２７に対してムービングプレート４０Ｑの移動方向と略直交する方向に面当り状態で当接可能とされている。また、弾性撓み片３２Ｑの先端部にはムービングプレート４０Ｑが後退する方向に沿って傾斜する案内面３２Ｓを備えた解除案内部３２Ｋが形成されている。解除案内部３２Ｋは、係止本体３２Ｆと高さ方向で段違いに配され、その案内面３２Ｓがプレート係止受け部２５，２６の受け台２５とは非接触状態となっている。
【０１１０】
ムービングプレート４０Ｑは、図４１に示すように、弾性撓み片３２Ｑの係止本体３２Ｆにムービングプレート４０Ｑの係止受け本体２７を係止させることでその後方移動を規制された状態で端子位置決め位置に仮保持される。その後、両ハウジング１０Ｑ，３０Ｑの嵌合動作が開始されてフード部３４内に雌ハウジング１０Ｑが進入すると、弾性撓み片３２Ｑの解除案内部３２Ｋの案内面３２Ｓに対し雌ハウジング１０Ｑにおける先行解除本体１８Ｅの前面が摺動して、弾性撓み片３２Ｑが撓み空間へ撓み変形させられ、係止本体３２Ｆによる係止状態が解除させられる。さらにフード部３４内に雌ハウジング１０Ｑが進入すると、プレート係止受け部２５，２６の受け台２５に対し雌ハウジング１０Ｑの後行解除本体１８Ｂが嵌合状態で当接し、この後行解除本体１８Ｂによって押圧されつつムービングプレート４０Ｑが後退移動する。これに伴い、プレート係止部３２Ｒ，３２Ｑは雌ハウジング１０Ｑの逃し凹部１８Ａに進入して、雌ハウジング１０Ｑの前面と非干渉に配される。
【０１１１】
ケーシング５０Ｑは、図４３及び図４７に示すように、前後両面、上面前半部、下面後半部を開放させたボックス状をなし、その上面前半部における第１の開口部５６を通して上方から雄ハウジング３０Ｑを受け入れ可能とされ、その下面後半部における第２の開口部５７を通して下方から雌ハウジング１０Ｑを受け入れ可能とされる。ケーシング５０Ｑの両側壁の外側面には、上下方向の全域に亘って延びる左右一対ずつのスライドガイド部５８が突設されており、このスライドガイド部５８に沿ってスライド部材８０Ｑの移動操作が案内されるようになっている。ケーシング５０Ｑにおける後面開口部を挟んだ両側位置であってスライドガイド部５８と対応する位置には、左右一対のケースロック受け部６８が突設されている。そして、ケーシング５０Ｑの両側壁には、雌ハウジング１０Ｑ側のガイドカム部１６と係合可能なガイドカム溝５２が所定方向に延出しかつ板厚方向に貫通して形成されている。ガイドカム溝５２は、ケーシング５０Ｑの両側壁の後半部にあって前下がりの直線状をなし、この直線に沿って雌ハウジング１０Ｑが斜め前方へ移動することで雄ハウジング３０Ｑ側へ接近するようになっている。
【０１１２】
ケーシング５０Ｑの両側壁のうち、ガイドカム溝５２よりも上方には、略コの字の切り込みによって内外に撓み変形可能とされた仮保持受け部５２Ｑが形成されている。仮保持受け部５２Ｑの先端部には、ケーシング５０Ｑの内側へ向けて突出することで雌ハウジング１０Ｑ側の仮保持突部１９と係合可能な仮保持受け突起５２Ｒが形成されている。雌ハウジング１０Ｑは、仮保持突部１９と仮保持受け突起５２Ｒとの係合によって初期位置に留め置かれた状態から雄ハウジング３０Ｑとの係合に伴って下方へ押圧され、これによって仮保持受け部５２Ｑが外側へ撓み変形して仮保持受け突起５２Ｒが仮保持突部１９との係合状態を解除することで、その移動動作が許容される。
【０１１３】
ケーシング５０Ｑの両側壁の外側面には、ガイドカム溝５２よりも前方に、レバー装着部５０Ｇが略円形に凹設されている。レバー装着部５０Ｇの中心部には、レバー７０Ｑを回動可能に支持する略円柱状の支持ピン７７が同軸で立設されている。ケーシング５０Ｑの両側壁のうち、支持ピン７７よりも鉛直上方には、上下方向に延出してケーシング５０Ｑの上端縁に開口するカム通し溝５３が形成されている。カム通し溝５３には、レバー７０Ｑが回動初期位置にあるときに、レバー７０Ｑのカム受け部７１の入り口が臨んでいる。そしてカム通し溝５３には上方から雄ハウジング３０Ｑのカム部３７が進入し、さらにこのカム部３７がカム受け部７１の入り口に進入するようになっている。
【０１１４】
ケーシング５０Ｑの両側壁の内側面には、カム通し溝５３と並んでガイド溝５５が凹設されている。ガイド溝５５の下端部は、レバー装着部５０Ｇの底面に開口する形態とされ、その下縁部に、図４３に示すように、レバー７０Ｑの回動方向と略直交する方向に沿ってテーパ状に配されたレバー受け部５５Ａが形成されている。レバー７０Ｑは、弾性係止部７２がレバー受け部５５Ａに係止することで回動初期位置に留め置かれる一方、ガイド溝５５に進入した雄ハウジング３０Ｑのガイド部３９が弾性係止部７２と当接してこれを係止解除方向へ撓ませることにより、回動初期位置からの移動操作が許容される。
【０１１５】
ケーシング５０Ｑの上面後半部５９Ｑは、図４７に示すように、初期位置における雌ハウジング１０Ｑの上面上方を被覆可能に配され、その幅方向中央部に、雄ハウジング３０Ｑの張り出し片６１Ａと適合する略コの字の凹陥部５９Ｒが切り欠いて形成されている。凹陥部５９Ｒには初期位置における雌ハウジング１０Ｑの係合突起２９が臨んでいる。ケーシング５０Ｑの上面後半部５９Ｑのうち、凹陥部５９Ｒを挟んだ両側位置には、左右一対の可撓片５９Ｐが形成されており、この可撓片５９Ｐが雌ハウジング１０Ｑの上面と弾接可能とされている。
【０１１６】
レバー７０Ｑは板状のアーム部７３を備え、図４４に示すように、アーム部７３の内側面に、厚み寸法を増大させたレバー本体部７０Ａが含まれ、このレバー本体部７０Ａがレバー装着部５０Ｇに摺動可能に嵌め込まれる。そしてアーム部７３の内側面には、所定方向に湾曲して延びるカム受け部７１が凹設されており、その近傍に、支持ピン７７に嵌合可能な略円形の支持受け部７５が凹設されている。
【０１１７】
アーム部７３の周縁部には、同周縁部に沿うようにして弾性係止部７２が片持ち状に延出して形成されている。弾性係止部７２は、その根元を基端として内外に撓み変形可能とされ、その先端側（自由端側）に、幅寸法及び厚み寸法を増大させた先端係止部７２Ｂを備えている。先端係止部７２Ｂの端面は、レバー７０Ｑの回動方向と略直交する方向に沿って配される回動規制面７２Ｅとされ、レバー７０Ｑが回動初期位置にあるときに、ケーシング５０Ｑに設けられたレバー受け部５５Ａとレバー７０Ｑの回動方向で当たり合うようになっている。そして、弾性係止部７２は、図４５に示すように、先端係止部７２Ｂが雄ハウジング３０Ｑのガイド部３９により上方から押圧されることで図示矢線方向に拡開変形させられ、これに伴ってレバー受け部５５Ａとの係止状態を解除するようになっている。
【０１１８】
アーム部７３のうち、支持受け部７５から離れた端部外側面には、操作カム部７４が突設されている。操作カム部７４は、スライド部材８０Ｑに形成された操作カム受け部８２と係合状態にあって、この操作カム受け部８２の形成方向に沿って移動可能とされている。
【０１１９】
スライド部材８０Ｑは、板状をなし、操作部８３とその両端から突出する左右一対のスライド装着部８５とにより全体として門型に形成されている。スライド部材８０Ｑは、ケーシング５０Ｑに対して操作部８３が隙間をあけて配される後退位置と、ケーシング５０Ｑに対して操作部８３が隙間をつめて配される進出位置との間を進退可能とされており、後退位置ではコックピット側の取付面Ｆに固定された取付具９０Ｑに保持される。
【０１２０】
操作部８３には、両側に入れられたスリット間にて撓み変形可能とされた弾性アーム部８４が露出状態で形成されている。弾性アーム部８４は、図３４に示すように、操作部８３の一端中央部にその根元を接続させつつ他側へ延びる片持ち状をなしている。弾性アーム部８４の根元側には、爪状の保持突起８４Ｂが形成され、この保持突起８４Ｂが取付具９０Ｑに設けられた保持受け部９４に係止可能とされ、これによりスライド部材８０Ｑが取付具９０Ｑに保持されるようになっている。そして弾性アーム部８４の自由端側には解除操作部８４Ａが形成されており、この解除操作部８４Ａが解除方向となる上方へ押圧操作されることで保持突起８４Ｂと保持受け部９４との係止状態を解除するようになっている。
【０１２１】
スライド装着部８５は、その前後両縁でスライドガイド部５８に摺動可能となっており、かつ、レバー７０Ｑの操作カム部７４と係合可能な操作カム受け部８２が横一直線上に延出しつつ板厚方向に貫通して形成されている。操作カム部７４と操作カム受け部８２とが係合状態を保つことでスライド部材８０Ｑとケーシング５０Ｑとがレバー７０Ｑを介して一体に連結される。そして、操作カム部７４と操作カム受け部８２とが係合状態を保ちつつレバー７０Ｑが弾性係止部７２とレバー受け部５５Ａとの係止によって回動初期位置に回動規制されることにより、スライド部材８０Ｑが後退位置に留め置かれる。
【０１２２】
スライド装着部８５の外側面には、取付具９０Ｑと対応する位置に、上下に貫通してトンネル状をなす左右一対の取付箱部８６が形成されている。取付箱部８６の内側空間は下方から取付具９０Ｑを挿入可能な挿入空間として構成されている。取付箱部８６の挿入空間は、上方へ行くにつれ先窄まりの狭小空間を有しており、この幅狭となった狭小空間の対向面間に、取付具９０Ｑの先端部が進入して圧接保持されるようになっている。そして、取付箱部８６の内底面にはケースロック部８１が撓み変形可能に形成されており、スライド部材８０Ｑが進出位置に至ると、ケースロック部８１がケーシング５０Ｑのケースロック受け部６８と弾性係止してスライド部材８０Ｑがケーシング５０Ｑに対し抜け止め状態で係止されるようになっている。
【０１２３】
取付具９０Ｑは、取付片９２と固定片９３とから全体として略Ｌの字をなし、取付片９２が取付箱部８６の挿入空間に進入可能とされ、固定片９３がコックピット側の取付面Ｆにボルト等の固定部材によって固定されるようになっている。取付片９２の先端部には、左右一対の突出片９２Ａが形成されており、両突出片９２Ａが対応する取付箱部８６の挿入空間に進入し、さらに狭小空間に進入して対向面間に圧入される。取付片９２の両側縁には、左右一対の弾性片９２Ｂが切り起こしにより形成されている。両弾性片９２Ｂは、スライド部材８０Ｑが後退位置にあるときに、取付箱部８６の内面に突っ張り状態で弾接されるようになっている。そして、取付片９２の略中央部には、スライド部材８０Ｑの弾性アーム部８４と対応する位置に、保持受け部９４が形成されている。保持受け部９４は、取付片９２の基準面から段違いの平面を備え、その略中央部に保持受け孔９４Ａを有している。スライド部材８０Ｑが後退位置にあるときに、弾性アーム部８４の保持突起８４Ｂが保持受け孔９４Ａに嵌入することで、スライド部材８０Ｑが仮保持状態で留め置かれる。
【０１２４】
次に、実施形態２の作用効果を説明する。まず雌雄の両ハウジング１０Ｑ，３０Ｑを嵌合させるに先立って、可動側のモジュールを組み上げる。すなわち、ケーシング５０Ｑに対して下方から雌ハウジング１０Ｑを挿入してガイドカム部１６をガイドカム溝５２に嵌入し、さらに仮保持突部１９を仮保持受け部５２Ｑに係止させて、雌ハウジング１０Ｑを初期位置に留め置く。初期位置における雌ハウジング１０Ｑは、図４７に示すように、ガイドカム部１６をガイドカム溝５２の一端に位置させ、その上面をケーシング５０Ｑの上面後半部５９Ｑに当接または近接する位置に引き上げた状態で配される。そして、レバー７０Ｑの弾性係止部７２をケーシング５０Ｑのレバー受け部５５Ａに弾性係止させてレバー７０Ｑを回動初期位置に留め置くとともに、カム受け部７１の入り口をケーシング５０Ｑのカム通し溝５３の臨ませる。また、スライド部材８０Ｑをケーシング５０Ｑに対して後退位置に仮保持状態で留め置く。
【０１２５】
両ハウジング１０Ｑ，３０Ｑの嵌合操作を行う作業現場において、エンジンルーム側の取付面Ｂに固定された取付部材２０に対し、雄ハウジング３０Ｑのレール部３５をスライド装着して雄ハウジング３０Ｑを取付面Ｂに固定する。また、雄ハウジング３０Ｑのフード部３４にムービングプレート４０Ｑを組み付けて、ムービングプレート４０Ｑを保持手段によって端子位置決め位置に留め置く。また可動側のモジュールについて、取付箱部８６の挿入空間に取付具９０Ｑの先端部を挿入するとともに、スライド部材８０Ｑの弾性アーム部８４に取付具９０Ｑの保持受け部９４を弾性係止させる。これにより、図３１及び図４７に示すように、ケーシング５０Ｑの第１の開口部５６が雄ハウジング３０Ｑの下面との間に所定間隔をあけて対向に配される。
【０１２６】
この状態から、スライド部材８０Ｑにおける弾性アーム部８４の解除操作部８４Ａを押圧してスライド部材８０Ｑの係止状態を解除するとともに、操作部８３の操作面を押圧して、スライド部材８０Ｑをケーシング５０Ｑとともに雄ハウジング３０Ｑ側へ移動させる。するとその移動途中で、雄ハウジング３０Ｑが第１の開口部５６からケーシング５０Ｑ内に進入し、雄ハウジング３０Ｑのカム部３７がケーシング５０Ｑのカム通し溝５３の溝面に摺動するとともに、雄ハウジング３０Ｑのガイド部３９がケーシング５０Ｑのガイド溝５５の溝面に摺動する。
【０１２７】
雄ハウジング３０Ｑの覆い壁４３がムービングプレート４０Ｑの案内壁６１とともに雌ハウジング１０Ｑを押さえ付けると、雌ハウジング１０Ｑの係合突起２９がムービングプレート４０Ｑの切り溝６１Ｂ内に進入するとともに、その押圧力によって雌ハウジング１０Ｑの仮保持突部１９による仮保持状態が解除される。
【０１２８】
ケーシング５０Ｑに対する雄ハウジング３０Ｑの挿入動作が進むと、図４１から図４２にかけて示すように、フード部３４のプレート係止部３２Ｒ，３２Ｑに雌ハウジング１０Ｑの先行解除本体１８Ｅが係合して弾性撓み片３２Ｑが係止解除方向へ撓み変形させられ、さらにムービングプレート４０Ｑのプレート係止受け部２５，２６に雌ハウジング１０Ｑの後行解除本体１８Ｂが係合してその係合状態を保ちつつ、ムービングプレート４０Ｑがプレート装着溝３４Ｒに沿って後退移動する。
【０１２９】
ムービングプレート４０Ｑの後退移動が開始されるのと前後して、図４６に示すように、カム部３７がレバー７０Ｑのカム受け部７１の入り口に進入する。すると、ガイド部３９が弾性係止部７２の先端係止部７２Ｂに当接してこの弾性係止部７２を外側へ撓み変形させ、これによって先端係止部７２Ｂがレバー受け部５５Ａから解離して、レバー７０Ｑが回動開始可能となる。このとき、雌雄の両端子はそれぞれの先端同士を一部ラップさせることで既に接続動作を開始させている。また、雌ハウジング１０Ｑの当て受け部１７は、雄ハウジング３０Ｑの移動方向に対して雌ハウジング１０Ｑが斜めに相対変位することにより、フード部３４の内側に進入した状態にある。
【０１３０】
その後、さらにスライド部材８０Ｑを押し込むと、レバー７０Ｑの操作カム部７４がスライド部材８０Ｑの操作カム受け部８２に沿って相対変位し、レバー７０Ｑが支持ピン７７を中心として図３２に示す時計周りに回動する。すると、スライド部材８０Ｑが後退位置から進出位置へと移動するとともに、雄ハウジング３０Ｑのカム部３７がレバー７０Ｑのカム受け部７１に沿って相対変位し、これに伴って雌雄の両ハウジング１０Ｑ，３０Ｑの嵌合動作が進行する。そしてスライド部材８０Ｑの操作部８３がケーシング５０Ｑの下壁に当て止めされる位置に至ると、図３３に示すように、レバー７０Ｑの回動操作が完了して両ハウジング１０Ｑ，３０Ｑが正規嵌合状態となる。こうしてスライド部材８０Ｑが進出位置に至ると、スライド部材８０Ｑのケースロック部８１がケーシング５０Ｑのケースロック受け部６８に弾性係止し、これによりスライド部材８０Ｑがケーシング５０Ｑから離脱規制状態にロックされる。
【０１３１】
かくして正規嵌合された両ハウジング１０Ｑ，３０Ｑを離脱させるときには、ケースロック部８１とケースロック受け部６８との係止状態を解除してスライド部材８０Ｑを進出位置から後退位置へと引き戻すようにする。すると、操作カム部７４が操作カム受け部８２に沿って上記した両ハウジング１０Ｑ，３０Ｑの嵌合時とは逆方向に相対変位し、レバー７０Ｑが支持ピン７７を中心として図３３に示す反時計周りに回動する。レバー７０Ｑの回動動作に伴い、カム部３７がカム受け部７１の入り口側へ相対変位するとともに、ガイドカム部１６がガイドカム溝５２に沿って斜め上方へ移動して、雌ハウジング１０Ｑが雄ハウジング３０Ｑ側から離間する。また、雌ハウジング１０Ｑの係合突起２９がムービングプレート４０Ｑの切り溝６１Ｂの溝縁に引っ掛け状態で係合することにより、雌ハウジング１０Ｑの動きに連れ立ってムービングプレート４０Ｑが端子位置決め位置側へ移動する。両ハウジング１０Ｑ，３０Ｑの離間途上で、ムービングプレート４０Ｑはプレート係止部３２Ｒ，３２Ｑとプレート係止片３２Ｐとによる係止作用によって端子位置決め位置に留め置かれる。
【０１３２】
両ハウジング１０Ｑ，３０Ｑの離脱操作が完了する終盤に至ると、図５０に示すように、雌ハウジング１０Ｑの当て受け部１７と雄ハウジング３０Ｑの当て部３４Ａが接触状態を保ち、これによって雌ハウジング１０Ｑを初期位置へと引き上げるための推進構造が形成される。すなわち、図５０に示す状態から雄ハウジング３０Ｑがケーシング５０Ｑに対して上方へ相対変位すると、当て部３４Ａが当て受け部１７のテーパ面１７Ａに沿って摺動しつつ雌ハウジング１０Ｑがガイドカム溝５２に沿って斜め上方へ押し上げられ、もって雌ハウジング１０Ｑが初期位置へ至るようになっている。このとき、雌ハウジング１０Ｑが当て部３４Ａによってオーバーストローク気味に持ち上げられると、雌ハウジング１０Ｑの上面がケーシング５０Ｑの上面後半部５９Ｑと当接してこの上面後半部５９Ｑが撓み変形させられるが、さらに上面後半部５９Ｑが弾性復元することにより、雌ハウジング１０Ｑが初期位置へと戻ることが可能となっている。
【０１３３】
このように実施形態２によれば、両ハウジング１０Ｑ，３０Ｑの離脱時に、ケーシング５０Ｑに対する雄ハウジング３０Ｑの相対変位動作に伴って、雌ハウジング１０Ｑに設けられた当て受け部１７が雄ハウジング３０Ｑに設けられた当て部３４Ａによって持ち上げられることにより、雌ハウジング１０Ｑが初期位置へと強制的に戻されるようになっているから、次なる作業を迅速に開始することができ、繰り返しの連続使用に好適となる。この場合に、当て受け部１７は、雌ハウジング１０Ｑの前面から前方へ突出して形成され、両ハウジング１０Ｑ，３０Ｑの嵌合時には雄ハウジング３０Ｑのフード部３４内に進入するようになっているから、この当て受け部１７の突出量を調整するだけで、雌ハウジング１０Ｑの移動ストローク量を所望に設定することができる。
【０１３４】
そして、当て受け部１７が当て部３４Ａによってオーバーストローク気味に持ち上げられると、ケーシング５０Ｑの上面後半部５９Ｑが撓み変形しつつ雌ハウジング１０Ｑを受け止めることが可能となっているから、雌ハウジング１０Ｑの移動ストローク量が設定値よりずれていてもそのずれ量を吸収することができる。しかも、上面後半部５９Ｑの弾性復帰に伴い雌ハウジング１０Ｑが初期位置へ確実に至らしめられる。
【０１３５】
また、フード部３４に設けられたプレート係止部３２Ｒ，３２Ｑとムービングプレート４０Ｑに設けられたプレート係止受け部２５，２６とによる係止構造がムービングプレート４０Ｑのプレート本体４８の中心部を挟んだ対角位置に対をなして設けられているから、プレート本体４８が垂直姿勢の状態を保って移動可能となる。その結果、雌雄の両端子の接続姿勢が安定化して、接続信頼性が向上する。
【０１３６】
さらに、レバー７０Ｑの弾性係止部７２が、レバー７０Ｑの回動接線方向に延出して板厚方向に撓み変形可能とされ、その自由端部（先端部）に、ケーシング５０Ｑにおけるガイド溝５５のレバー受け部５５Ａに対してレバー７０Ｑの回動方向で当たり合う回動規制面７２Ｅを備えているから、弾性係止部７２のロック強度が高まる。これにより、レバー７０Ｑが回動初期位置にあるときに、弾性係止部７２によるロックが不用意に解除される事態を回避できる。
【０１３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、操作カム部が操作カム受け部に沿って相対的に移動するようになっていたが、本発明においては、操作カム受け部が溝状に形成された操作カム部に沿って相対的に移動するようになっていてもよい。  
（２）上記実施形態では、レバーがケーシングに対して回動可能に装着されていたが、本発明においては、レバーがスライド部材に対して回動可能に装着されていてもよい。この場合には、操作カム受け部をケーシングに対して設けてもよい。
【０１３８】
（３）上記実施形態では、検知部がスライド部材の検知窓の開口から突出する形態となっていたが、本発明においては、検知部がスライド部材の検知窓の開口内に収まっていてもよい。要は、検知窓を通して検知部の突出端の位置が視認できればよい。  
（４）上記実施形態では、スライド部材の操作面が平坦面となっていたが、本発明においては、スライド部材の操作面における検知窓の開口周辺部に保護リブを立ててもよい。この保護リブの突出端と検知部の突出端とを見比べることにより、嵌合検知の指標として有効であるとともに、検知部を保護する役割を兼用させることができる。
【０１３９】
（５）上記実施形態では、フード部内にムービングプレートが組み付けられていたが、本発明においては、ムービングプレートは無くても構わない。この場合には、フード部の覆い壁がムービングプレートの案内壁の役割を果たすことになる。  
（６）実施形態１では、ケーシングの一面に略平行な二軸のガイドカム溝が形成されていたが、本発明においては、略平行な三軸以上のガイドカム溝が形成されていてもよい。また、実施形態２のように、一軸のガイドカム溝が形成されるだけでもよい。  
（７）上記実施形態では、車両側のモジュールに雄ハウジングを配し、コックピット側のモジュールに雌ハウジングを配していたが、本発明においては、車両側のモジュールに雌ハウジングを配し、コックピット側のモジュールに雄ハウジングを配してもよい。  
（８）上記実施形態では、コックピット側のモジュールが可動側のモジュールとされ、車両側のモジュールが待受側のモジュールとされたが、本発明によれば、コックピット側のモジュールが待受側のモジュールとされ、車両側のモジュールが可動側のモジュールとされてもよい。
【０１４０】
（９）実施形態２では、当て受け部が当て部側へ突出して形成されていたが、本発明によれば、当て部が当て受け部側へ突出して形成されていてもよい。  
（１０）本発明によれば、フード部に設けられたプレート係止部とムービングプレートに設けられたプレート係止受け部とによる係止構造は、ムービングプレートの中心を挟んだ対角４隅に一対ずつ設けられていてもよい。
【図面の簡単な説明】
【０１４１】
【図１】本発明の実施形態１に係るコネクタ装置において、スライド部材を取付具に仮保持させた状態を示す要部破断側面図
【図２】スライド部材を取付具から取り外した状態を示す要部破断側面図
【図３】スライド部材をケーシングとともに雄ハウジング側へ押し込んだ状態を示す要部破断側面図
【図４】スライド部材を取付具から完全に離間させた状態を示す要部破断側面図
【図５】スライド部材を押し込んでケーシングにロックさせた状態を示す要部破断側面図
【図６】コックピット側のモジュールと車両側のモジュールとを対峙させた状態を示す側面図
【図７】コックピット側のモジュールと車両側のモジュールとを対峙させた状態を示す側断面図
【図８】雄ハウジングをケーシング内に挿入させた状態を示す側断面図
【図９】両ハウジングを接近させる過程の状態を示す側断面図
【図１０】両ハウジングをさらに接近させた状態を示す側断面図
【図１１】両ハウジングを正規嵌合させた状態を示す側断面図
【図１２】（Ａ）雌ハウジングを仮保持させて両ハウジングを係合させた状態を示す要部拡大横断面図  （Ｂ）その要部拡大側断面図
【図１３】（Ａ）雌ハウジングの仮保持状態を解除して雌ハウジングを雄ハウジング側へ接近させた状態を示す要部拡大横断面図  （Ｂ）その要部拡大側断面図
【図１４】（Ａ）両ハウジングを正規嵌合させた状態を示す要部拡大横断面図  （Ｂ）その要部拡大側断面図
【図１５】車両側のモジュールの分解側面図
【図１６】車両側のモジュールの分解側断面図
【図１７】コックピット側のモジュールの分解側面図
【図１８】コックピット側のモジュールの分解側断面図
【図１９】取付具とスライド部材との係止構造を示す側断面図
【図２０】取付具とスライド部材との係止状態を解除した状態を示す側断面図
【図２１】コックピット側のモジュールの分解正面図
【図２２】車両側のモジュールの分解正面図
【図２３】コックピット側のモジュールと車両側のモジュールとを対峙させた状態を示す正面図
【図２４】車両側のモジュールの分解平面図
【図２５】車両側のモジュールを組み付けた状態を示す平面図
【図２６】雄ハウジングの裏面図
【図２７】スライド部材の平面図
【図２８】スライド部材の裏面図
【図２９】ケーシングの平面図
【図３０】レバーの正面図
【図３１】本発明の実施形態２に係るコネクタ装置において、コックピット側のモジュールと車両側のモジュールとを対峙させた状態を示す側面図
【図３２】雄ハウジングをケーシング内に挿入させた状態を示す側面図
【図３３】両ハウジングが正規嵌合された状態を示す側面図
【図３４】両ハウジングが係合した状態を示す側断面図
【図３５】雌ハウジングの斜視図
【図３６】雌ハウジングの底面図
【図３７】雌ハウジングの正面図
【図３８】雄ハウジングとムービングプレートの分解斜視図
【図３９】ムービングプレートが組み付けられた雄ハウジングの斜視図
【図４０】ムービングプレートが組み付けられた雄ハウジングの正面図
【図４１】ムービングプレートが組み付けられた雄ハウジングの横断面図
【図４２】両ハウジングの嵌合動作に伴いムービングプレートの仮保持状態が解除されるときの横断面図
【図４３】ケーシングの斜視図
【図４４】レバーの斜視図
【図４５】レバーの弾性係止部が雄ハウジングのガイド部と当接して撓み変形させられるときの斜視図
【図４６】レバーの弾性係止部とケーシングのレバー受け部とが係止状態にあることを示す側断面図
【図４７】ケーシング内に雄ハウジングが挿入される前の状態を示す斜視図
【図４８】ケーシング内に雄ハウジングが挿入された状態を示す斜視図
【図４９】両ハウジングが正規嵌合された状態を示す要部拡大側断面図
【図５０】当て受け部が当て部によって持ち上げられるときの要部拡大側断面図
【符号の説明】
【０１４２】
１０、１０Ｑ…雌ハウジング（第２のコネクタハウジング）
３０、３０Ｑ…雄ハウジング（第１のコネクタハウジング）
３５…レール部
３７…カム部
３９…ガイド部
４１…検知部
５０、５０Ｑ…ケーシング
５２…ガイドカム溝
５２Ａ…仮保持部
５３…カム通し溝
６８…ケースロック受け部
７０、７０Ｑ…レバー
７１…カム受け部
７２…弾性係止部
７４…操作カム部
８０、８０Ｑ…スライド部材
８１…ケースロック部
８２…操作カム受け部
８４…弾性アーム部
【図１】
2006313730.tif 000003
【図２】
2006313730.tif 000004
【図３】
2006313730.tif 000005
【図４】
2006313730.tif 000006
【図５】
2006313730.tif 000007
【図６】
2006313730.tif 000008
【図７】
2006313730.tif 000009
【図８】
2006313730.tif 000010
【図９】
2006313730.tif 000011
【図１０】
2006313730.tif 000012
【図１１】
2006313730.tif 000013
【図１２】
2006313730.tif 000014
【図１３】
2006313730.tif 000015
【図１４】
2006313730.tif 000016
【図１５】
2006313730.tif 000017
【図１６】
2006313730.tif 000018
【図１７】
2006313730.tif 000019
【図１８】
2006313730.tif 000020
【図１９】
2006313730.tif 000021
【図２０】
2006313730.tif 000022
【図２１】
2006313730.tif 000023
【図２２】
2006313730.tif 000024
【図２３】
2006313730.tif 000025
【図２４】
2006313730.tif 000026
【図２５】
2006313730.tif 000027
【図２６】
2006313730.tif 000028
【図２７】
2006313730.tif 000029
【図２８】
2006313730.tif 000030
【図２９】
2006313730.tif 000031
【図３０】
2006313730.tif 000032
【図３１】
2006313730.tif 000033
【図３２】
2006313730.tif 000034
【図３３】
2006313730.tif 000035
【図３４】
2006313730.tif 000036
【図３５】
2006313730.tif 000037
【図３６】
2006313730.tif 000038
【図３７】
2006313730.tif 000039
【図３８】
2006313730.tif 000040
【図３９】
2006313730.tif 000041
【図４０】
2006313730.tif 000042
【図４１】
2006313730.tif 000043
【図４２】
2006313730.tif 000044
【図４３】
2006313730.tif 000045
【図４４】
2006313730.tif 000046
【図４５】
2006313730.tif 000047
【図４６】
2006313730.tif 000048
【図４７】
2006313730.tif 000049
【図４８】
2006313730.tif 000050
【図４９】
2006313730.tif 000051
【図５０】
2006313730.tif 000052